(57)【特許請求の範囲】
【請求項１】
ワイヤレス通信のための方法であって、前記方法はワイヤレス通信のための装置によって実行され、
第１の送信時間間隔（ＴＴＩ）を使用する通信用のパラメータの第１のセットを決定することを備え、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のＣＳＩプロセスのための第１のパラメータと、パラメータの前記第１のセット内の第２のＣＳＩプロセスのための対応するパラメータとが同じであるように、前記第１のパラメータを前記対応するパラメータと関連付けることと、
前記第１のＴＴＩまたは前記第２のＴＴＩのうちの少なくとも１つと前記第１のパラメータとを使用して通信を実行することと、
を特徴とする、方法。
【請求項２】
前記第１のパラメータは、ノードの時間追跡パラメータまたは前記ノードの周波数追跡パラメータのうちの少なくとも１つ、または両方を備える、または、
前記通信を実行することは、動的ポイント選択（ＤＰＳ）ＣｏＭＰ通信、協調ビームフォーミング（ＣＢＦ）ＣｏＭＰ通信、もしくはジョイント送信（ＪＴ）ＣｏＭＰ通信のうちの少なくとも１つ、またはそれらの任意の組合せを実行すること、を備える、または、  前記通信を実行することは、共通基準信号（ＣＲＳ）ベースの通信または復調基準信号（ＤＭ−ＲＳ）ベースの通信を実行することを備え、前記第１のパラメータは、ＣＲＳベースのパラメータまたはＤＭ−ＲＳベースのパラメータを備える、請求項１に記載の方法。
【請求項３】
前記通信を実行することは、
ノードの第１のＣｏＭＰ協働セット内の第１の複数のノードと、ノードの第２のＣｏＭＰ協働セット内の第２の複数のノードとを識別することと、ここにおいて、ノードの前記第１のＣｏＭＰ協働セットは前記第１のＴＴＩを使用して通信し、ノードの前記第２のＣｏＭＰ協働セットは前記第２のＴＴＩを使用して通信する、
ノードの前記第１のＣｏＭＰ協働セットまたはノードの前記第２のＣｏＭＰ協働セットのうちの１つまたは複数を使用してユーザ機器（ＵＥ）との通信を実行することと、
を備える、請求項１に記載の方法。
【請求項４】
ノードの前記第２のＣｏＭＰ協働セット内の前記第２の複数のノードは、ノードの前記第１のＣｏＭＰ協働セット内の前記第１の複数のノードのサブセットである、請求項３に記載の方法。
【請求項５】
前記第１のＴＴＩまたは前記第２のＴＴＩを使用する通信用の２つ以上のチャネル状態情報（ＣＳＩ）プロセスを識別すること、
をさらに備える、請求項１に記載の方法。
【請求項６】
前記第２のＴＴＩについての前記ＣＳＩプロセス用の前記パラメータは、ランクインジケータ（ＲＩ）、プリコーディング行列インジケータ（ＰＭＩ）、もしくはプリコーディングタイプインジケータ（ＰＴＩ）のうちの少なくとも１つ、またはそれらの任意の組合せを備える、または、
前記第２のＴＴＩについての前記ＣＳＩプロセス用の前記パラメータは、前記第１のＴＴＩを使用する通信用のチャネル品質インジケータ（ＣＱＩ）から導出されるＣＱＩを備える、請求項１に記載の方法。
【請求項７】
前記第１のパラメータは、前記第２のＴＴＩについての仮想セル識別情報（ＶＣＩＤ）を備える、請求項１に記載の方法。
【請求項８】
前記第２のＴＴＩを使用する通信用のＶＣＩＤ構成は、前記第１のＴＴＩを使用する通信用のＶＣＩＤ構成に関連付けられる、または、
データ通信のために、前記第２のＴＴＩまたは前記第１のＴＴＩを使用する前記ＶＣＩＤは、制御チャネル内のシグナリングによって決定される、または、
第１のＶＣＩＤ用の制御チャネル通信は、第１の復号候補のために決定され、第２のＶＣＩＤ用の制御チャネル通信は、第２の復号候補のために決定される、請求項７に記載の方法。
【請求項９】
前記第１のパラメータは、物理ダウンリンク共有チャネルレートマッチング、または前記第２のＴＴＩのための擬似コロケーションインジケータ（ＰＱＩ）構成のうちの少なくとも１つ、またはそれらの任意の組合せを備える、請求項１に記載の方法。
【請求項１０】
前記第２のＴＴＩを使用する通信用の前記ＰＱＩ構成は、前記第１のＴＴＩを使用する通信用と同じＰＱＩ構成である、請求項９に記載の方法。
【請求項１１】
前記第２のＴＴＩを使用する通信用のＰＱＩ構成の数は、前記第１のＴＴＩを使用する通信用のＰＱＩ構成の数よりも少ないかまたはそれに等しい、請求項９に記載の方法。
【請求項１２】
データ通信のために、前記第２のＴＴＩまたは前記第１のＴＴＩを使用する前記ＰＱＩ構成は、制御チャネル内のシグナリングによって決定される、または、
制御チャネル通信のために、第１のＰＱＩ構成が第１の復号候補のために決定され、第２のＰＱＩ構成が第２の復号候補のために決定される、請求項１１に記載の方法。
【請求項１３】
前記第１のＴＴＩに対して前記第２のＴＴＩを使用する送信のタイミングに基づいて、前記第２のＴＴＩを使用する前記送信のＣｏＭＰ送信方式を決定すること、
をさらに備える、請求項１に記載の方法。
【請求項１４】
前記ＣｏＭＰ送信方式は、前記第２のＴＴＩを使用する前記送信が前記第１のＴＴＩの制御領域と一致するときディセーブルにされ、前記ＣｏＭＰ送信方式は、前記第２のＴＴＩを使用する前記送信が前記第１のＴＴＩのデータ領域と一致するときイネーブルにされる、または、
前記ＣｏＭＰ送信方式は、前記第２のＴＴＩを使用する前記送信が前記第１のＴＴＩの制御領域と一致するとき共通基準信号（ＣＲＳ）に基づき、前記ＣｏＭＰ送信方式は、前記第２のＴＴＩを使用する前記送信が前記第１のＴＴＩのデータ領域と一致するとき復調基準信号（ＤＭ−ＲＳ）に基づく、または、
前記第１のＴＴＩの中の制御領域内の直交周波数分割多重（ＯＦＤＭ）シンボルの量は可変であり、１つまたは複数のＯＦＤＭシンボルは、前記ＯＦＤＭシンボルが制御領域ＯＦＤＭシンボルを備えるか、またはデータ領域ＯＦＤＭシンボルを備えるかを決定するためにブラインド復号される、または、
前記第１のＴＴＩの中の制御領域の直交周波数分割多重（ＯＦＤＭ）シンボルの数は、前記第２のＴＴＩを使用して送信されるサブフレームのチャネルフォーマットインジケータおよびタイプに基づいて決定される、または、
前記第１のＴＴＩを使用して送信される直交周波数分割多重（ＯＦＤＭ）シンボルのサブセットは、ＯＦＤＭシンボルの前記サブセット内の各シンボルが制御情報を備えるか、またはデータを備えるかにかかわらず、前記第１のＴＴＩの中の制御領域シンボルであるように構成される、または、
前記第１のＴＴＩの中の制御領域用の前記ＣｏＭＰ送信方式と、前記制御領域の直交周波数分割多重（ＯＦＤＭ）シンボルの数とが、ユーザ機器（ＵＥ）にシグナリングされる、請求項１３に記載の方法。
【請求項１５】
請求項１〜１４のうちの何れか一項に記載のステップを実行するように構成された手段を備える、ワイヤレス通信のための装置。
【請求項１６】
ワイヤレス通信のためのコードを記憶する非一時的コンピュータ可読媒体であって、前記コードは請求項１〜１４のうちの何れか一項に記載のステップを実行するように構成された命令を備える、非一時的コンピュータ可読媒体。
【発明の詳細な説明】
【優先権の主張】
【０００１】
相互参照
本特許出願は、各々が本出願の譲受人に譲渡された、２０１５年４月１５日に出願された「Ｃｏｏｒｄｉｎａｔｅｄ  Ｗｉｒｅｌｅｓｓ  Ｃｏｍｍｕｎｉｃａｔｉｏｎｓ  Ｕｓｉｎｇ  Ｍｕｌｔｉｐｌｅ  Ｔｒａｎｓｍｉｓｓｉｏｎ  Ｔｉｍｅ  Ｉｎｔｅｒｖａｌｓ」と題する、Ｃｈｅｎらによる米国仮特許出願第６２／１４７，９４７号、および２０１６年３月１１日に出願された「Ｃｏｏｒｄｉｎａｔｅｄ  Ｗｉｒｅｌｅｓｓ  Ｃｏｍｍｕｎｉｃａｔｉｏｎｓ  Ｕｓｉｎｇ  Ｍｕｌｔｉｐｌｅ  Ｔｒａｎｓｍｉｓｓｉｏｎ  Ｔｉｍｅ  Ｉｎｔｅｒｖａｌｓ」と題する、Ｃｈｅｎらによる米国特許出願第１５／０６８，０４４号の優先権を主張する。
【技術分野】
【０００２】
本開示は、たとえば、ワイヤレス通信システムに関し、より詳細には、２つ以上の基地局の間で様々な継続時間（durations）のいくつかの異なる送信時間間隔を使用する通信に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）が含まれる。
【０００４】
[0004]ワイヤレス多元接続技術は、様々なワイヤレスデバイスが都市、国家、地域、さらには地球規模で通信することを可能にする共通プロトコルを提供するために、様々な電気通信規格において採用されている。例示的な電気通信規格は、ロングタームエボリューション（ＬＴＥ）である。ＬＴＥは、スペクトル効率を改善し、コストを低下させ、サービスを改善し、新しいスペクトルを利用し、他のオープン規格とよりよく一体化するように設計される。ＬＴＥは、ダウンリンク（ＤＬ）上でＯＦＤＭＡを使用し、アップリンク（ＵＬ）上でシングルキャリア周波数分割多元接続（ＳＣ−ＦＤＭＡ）を使用し、多入力多出力（ＭＩＭＯ）アンテナ技術を使用する場合がある
[0005]例として、ワイヤレス多元接続通信システムは、各々ユーザ機器（ＵＥ）と呼ばれる場合がある、複数の通信デバイスのための通信を各々が同時にサポートする、いくつかの基地局を含む場合がある。基地局は、（たとえば、基地局からＵＥへの送信用の）ダウンリンクチャネル上で、および（たとえば、ＵＥから基地局への送信用の）アップリンクチャネル上で、通信デバイスと通信することができる。
【０００５】
[0006]ますます、多くのワイヤレスアプリケーションは、待ち時間が減少した通信から恩恵を受ける。いくつかのワイヤレス通信ネットワークは、待ち時間を減少することができる、異なる（たとえば、より短い）送信時間間隔（ＴＴＩ）を有する通信を採用する場合がある。しかしながら、これらの異なるＴＴＩを使用する複数の基地局の間の協調（coordination）は、課題を提起する可能性がある。
【発明の概要】
【０００６】
[0007]複数の送信時間間隔（ＴＴＩ）を使用する協調ワイヤレス通信のためのシステム、方法、および装置が記載される。複数のＴＴＩは、たとえば、旧来（traditional）またはレガシーＴＴＩ継続時間よりも継続時間が短いＴＴＩを含み得る。各ＴＴＩは、様々なパラメータ（たとえば、異なるＴＴＩごとのチャネル状態情報（ＣＳＩ）プロセス、仮想セル識別情報（ＶＣＩＤ）、または物理ダウンリンク共有チャネルレートマッチングおよび擬似コロケーションインジケータ（ＰＱＩ：quasi-co-location indicator）に関連付けられ得る。第１のＴＴＩ用のパラメータは、対応するが異なる、第２のＴＴＩ用のパラメータに関連付けられ得る。他の例では、第１のＴＴＩ用のパラメータは、対応する第２のＴＴＩ用のパラメータと同じである。
【０００７】
[0008]いくつかの例では、第１のＴＴＩを使用するワイヤレスネットワークノードは、ノードの多地点協調（ＣｏＭＰ：coordinated multi-point）協働セット（cooperating set）を形成し得、第２のＴＴＩを使用するワイヤレスネットワークノードは、ノードの別のＣｏＭＰ協働セットを形成し得る。第２のＴＴＩを使用するＣｏＭＰ送信方式は、第１のＴＴＩに対する第２のＴＴＩ送信のタイミングに基づいて決定され得る。たとえば、ＣｏＭＰ送信方式は、第２のＴＴＩを使用する送信が第１のＴＴＩの制御領域と一致する場合ディセーブル（disabled）にされ得、ＣｏＭＰ送信方式は、第２のＴＴＩを使用する送信が第１のＴＴＩのデータ領域と一致する場合イネーブルにされ得る。そのようなＣｏＭＰ送信方式は、第２のＴＴＩを使用する送信が第１のＴＴＩの制御領域と一致する場合、ＣＲＳに基づき得、第２のＴＴＩを使用する送信が第１のＴＴＩのデータ領域と一致する場合ＤＭ−ＲＳに基づき得る。
【０００８】
[0009]ワイヤレス通信の方法が記載される。方法は、第１のＴＴＩを使用する通信用のパラメータの第１のセットを決定することと、第２のＴＴＩを使用する通信用のパラメータの第２のセットを決定すること、ここにおいて、第２のＴＴＩが第１のＴＴＩよりも短い継続時間を有する、と、パラメータの第２のセット内の第１のパラメータをパラメータの第１のセット内の対応するパラメータと関連付けることと、第１のＴＴＩまたは第２のＴＴＩのうちの少なくとも１つと第１のパラメータとを使用して通信を実行することと、を含み得る。
【０００９】
[0010]ワイヤレス通信のための装置が記載される。装置は、第１のＴＴＩを使用する通信用のパラメータの第１のセットを決定するための手段と、第２のＴＴＩを使用する通信用のパラメータの第２のセットを決定するための手段、ここにおいて、第２のＴＴＩが第１のＴＴＩよりも短い継続時間を有する、と、パラメータの第２のセット内の第１のパラメータをパラメータの第１のセット内の対応するパラメータと関連付けるための手段と、第１のＴＴＩまたは第２のＴＴＩのうちの少なくとも１つと第１のパラメータとを使用して通信を実行するための手段と、を含み得る。
【００１０】
[0011]ワイヤレス通信のための別の装置が記載される。装置は、プロセッサと、プロセッサと電子通信しているメモリと、メモリに記憶された命令とを含み得る。命令は、第１のＴＴＩを使用する通信用のパラメータの第１のセットを決定することと、第２のＴＴＩを使用する通信用のパラメータの第２のセットを決定すること、ここにおいて、第２のＴＴＩが第１のＴＴＩよりも短い継続時間を有する、と、パラメータの第２のセット内の第１のパラメータをパラメータの第１のセット内の対応するパラメータと関連付けることと、第１のＴＴＩまたは第２のＴＴＩのうちの少なくとも１つと第１のパラメータとを使用して通信を実行することとを行うように、プロセッサによって実行可能であり得る。
【００１１】
[0012]ワイヤレス通信のためのコードを記憶する非一時的コンピュータ可読媒体が記載される。コードは、第１のＴＴＩを使用する通信用のパラメータの第１のセットを決定することと、第２のＴＴＩを使用する通信用のパラメータの第２のセットを決定すること、ここにおいて、第２のＴＴＩが第１のＴＴＩよりも短い継続時間を有する、と、パラメータの第２のセット内の第１のパラメータをパラメータの第１のセット内の対応するパラメータと関連付けることと、第１のＴＴＩまたは第２のＴＴＩのうちの少なくとも１つと第１のパラメータとを使用して通信を実行することとを行うように実行可能な命令を含む場合がある。
【００１２】
[0013]方法、装置、または非一時的コンピュータ可読媒体のいくつかの例では、第１のパラメータは、ノードの時間追跡パラメータもしくはノードの周波数追跡パラメータのうちの少なくとも１つ、または両方を含む場合がある。
【００１３】
[0014]方法、装置、または非一時的コンピュータ可読媒体のいくつかの例は、第１のＴＴＩを使用して第１のセルとの通信を実行し、第２のＴＴＩを使用して第２のセルとの通信を実行するためのステップ、手段、特徴、または命令を含む場合があり、第２のセルは第１のセルとは異なる。
【００１４】
[0015]方法、装置、または非一時的コンピュータ可読媒体のいくつかの例では、通信を実行することは、ノードとのＣｏＭＰ通信を実行するためのステップ、手段、特徴、または命令を含み得る。いくつかの例では、ＣｏＭＰ通信は、ノード向けの動的ポイント選択（ＤＰＳ：dynamic point selection）ＣｏＭＰ通信、協調ビームフォーミング（ＣＢＦ：coordinated beamforming）ＣｏＭＰ通信、もしくはジョイント送信（ＪＴ）ＣｏＭＰ通信のうちの少なくとも１つ、またはそれらの任意の組合せを含み得る。
【００１５】
[0016]方法、装置、または非一時的コンピュータ可読媒体のいくつかの例では、通信を実行することは、ノードの第１のＣｏＭＰ協働セット内の第１の複数のノードと、ノードの第２のＣｏＭＰ協働セット内の第２の複数のノードとを識別することと、ノードの第１のＣｏＭＰ協働セットが第１のＴＴＩを使用して通信することができ、ノードの第２のＣｏＭＰ協働セットが第２のＴＴＩを使用して通信することができ、ノードの第１のＣｏＭＰ協働セットまたはノードの第２のＣｏＭＰ協働セットのうちの１つまたは複数を使用してＵＥとの通信を実行することと、を含み得る。いくつかの例では、ノードの第２のＣｏＭＰ協働セット内の第２の複数のノードは、ノードの第１のＣｏＭＰ協働セット内の第１の複数のノードの１サブセットであり得る。
【００１６】
[0017]方法、装置、または非一時的コンピュータ可読媒体のいくつかの例では、通信を実行することは、共通基準信号（ＣＲＳ）ベースの通信または復調基準信号（ＤＭ−ＲＳ）ベースの通信を実行し得、第１のパラメータは、ＣＲＳベースのパラメータまたはＤＭ−ＲＳベースのパラメータを含み得る。
【００１７】
[0018]方法、装置、または非一時的コンピュータ可読媒体のいくつかの例では、第１のパラメータは、第２のＴＴＩについてのチャネル状態情報（ＣＳＩ）プロセス用のパラメータを含み得る。いくつかの例は、第１のＴＴＩまたは第２のＴＴＩを使用する通信用の２つ以上のＣＳＩプロセスを識別するためのステップ、手段、特徴、または命令をさらに含み得る。いくつかの例では、２つ以上のＣＳＩプロセスは、周期的または非周期的にトリガされ得る。いくつかの例では、第２のＴＴＩについてのＣＳＩプロセス用のパラメータは、第１のＴＴＩを使用する通信用の対応するＣＳＩプロセスに関連付けられ得る。いくつかの例では、ＣＳＩプロセス間の関連付けは、あらかじめ定義されるか、または無線リソース制御（ＲＲＣ）シグナリングを介してＵＥにシグナリングされ得る。いくつかの例では、第２のＴＴＩについてのＣＳＩプロセス用のパラメータは、ランクインジケータ（ＲＩ）、プリコーディング行列インジケータ（ＰＭＩ）、もしくはプリコーディングタイプインジケータ（ＰＴＩ）のうちの少なくとも１つ、またはそれらの任意の組合せを含み得る。いくつかの例では、第２のＴＴＩについてのＣＳＩプロセス用のパラメータのＲＩ、ＰＭＩ、またはＰＴＩは、第１のＴＴＩを使用する通信に使用される対応するパラメータと同じであるように事前構成され得、ＵＥは、無線リソース制御（ＲＲＣ）シグナリングを介してＲＩ、ＰＭＩ、またはＰＴＩの関連付けを解除する（disassociate）ようにシグナリングされ得る。いくつかの例では、第２のＴＴＩについてのＣＳＩプロセス用のパラメータは、第１のＴＴＩを使用する通信用のチャネル品質インジケータ（ＣＱＩ）から導出されたＣＱＩを含み得る。いくつかの例では、第２のＴＴＩを使用する通信用のＣＳＩプロセスの数は、第１のＴＴＩを使用する通信用のＣＳＩプロセスの数よりも少ないかまたはそれに等しい。
【００１８】
[0019]方法、装置、または非一時的コンピュータ可読媒体のいくつかの例では、第１のパラメータは、第２のＴＴＩについての仮想セル識別情報（ＶＣＩＤ）を含み得る。第２のＴＴＩを使用する通信用のＶＣＩＤ構成は、第１のＴＴＩを使用する通信用としてのＶＣＩＤ構成と同じか、または異なり得る。いくつかの例では、第２のＴＴＩを使用する通信用のＶＣＩＤ構成は、第１のＴＴＩを使用する通信用のＶＣＩＤ構成に関連付けられ得る。いくつかの例では、第２のＴＴＩを使用する通信用に構成されたＶＣＩＤの数は、第１のＴＴＩを使用する通信用に構成されたＶＣＩＤの数よりも少ないかまたはそれに等しい。いくつかの例では、データ通信の場合、第２のＴＴＩまたは第１のＴＴＩを使用するＶＣＩＤは、制御チャネル内のシグナリングによって決定され得る。いくつかの例では、第１のＶＣＩＤ用の制御チャネル通信は、第１の復号候補のために決定され得、第２のＶＣＩＤ用の制御チャネル通信は、第２の復号候補のために決定され得る。
【００１９】
[0020]方法、装置、または非一時的コンピュータ可読媒体のいくつかの例では、第１のパラメータは、物理ダウンリンク共有チャネルレートマッチング、または第２のＴＴＩのための擬似コロケーションインジケータ（ＰＱＩ）構成のうちの少なくとも１つ、またはそれらの任意の組合せを含み得る。いくつかの例では、第２のＴＴＩを使用する通信用のＰＱＩ構成は、第１のＴＴＩを使用する通信用と同じＰＱＩ構成であり得る。いくつかの例では、第２のＴＴＩを使用する通信用のＰＱＩ構成は、第１のＴＴＩを使用する通信用のＰＱＩ構成とは異なり得る。いくつかの例では、第２のＴＴＩを使用する通信用のＶＣＩＤ構成は、第１のＴＴＩを使用する通信用のＶＣＩＤ構成に関連付けられ得る。いくつかの例では、第２のＴＴＩを使用する通信用のＰＱＩ構成の数は、第１のＴＴＩを使用する通信用のＰＱＩ構成の数よりも少ないかまたはそれに等しい。いくつかの例では、データ通信の場合、第２のＴＴＩまたは第１のＴＴＩを使用するＰＱＩ構成は、制御チャネル内のシグナリングによって決定され得る。いくつかの例では、制御チャネル通信の場合、第１のＰＱＩ構成は第１の復号候補のために決定され得、第２のＰＱＩ構成は第２の復号候補のために決定され得る。
【００２０】
[0021]方法、装置、または非一時的コンピュータ可読媒体のいくつかの例は、第１のＴＴＩに対する第２のＴＴＩを使用する送信のタイミングに少なくとも部分的に基づいて、第２のＴＴＩを使用する送信のＣｏＭＰ送信方式を決定するためのステップ、手段、特徴、または命令を含み得る。いくつかの例では、ＣｏＭＰ送信方式は、第２のＴＴＩを使用する送信が第１のＴＴＩによる制御領域と一致するときディセーブルにされ得、ＣｏＭＰ送信方式は、第２のＴＴＩを使用する送信が第１のＴＴＩによるデータ領域と一致するときイネーブルにされ得る。いくつかの例では、ＣｏＭＰ送信方式は、第２のＴＴＩを使用する送信が第１のＴＴＩによる制御領域と一致するとき共通基準信号（ＣＲＳ）に基づき、ＣｏＭＰ送信方式は、第２のＴＴＩを使用する送信が第１のＴＴＩによるデータ領域と一致するとき復調基準信号（ＤＭ−ＲＳ）に基づく。
【００２１】
[0022]いくつかの例では、第１のＴＴＩによる制御領域内の直交周波数分割多重（ＯＦＤＭ）シンボルの量は可変であり、１つまたは複数のＯＦＤＭシンボルは、ＯＦＤＭシンボルが制御領域ＯＦＤＭシンボルを備えるか、またはデータ領域ＯＦＤＭシンボルを備えるかを決定するためにブラインド復号され得る。いくつかの例では、第１のＴＴＩによる制御領域の直交周波数分割多重（ＯＦＤＭ）シンボルの数は、第２のＴＴＩを使用して送信されるサブフレームのチャネルフォーマットインジケータおよびタイプに少なくとも部分的に基づいて決定される。いくつかの例では、第１のＴＴＩを使用して送信される直交周波数分割多重（ＯＦＤＭ）シンボルのサブセットは、ＯＦＤＭシンボルのサブセット内の各シンボルが制御情報を含むか、またはデータを含むかにかかわらず、第１のＴＴＩによる制御領域シンボルであるように構成され得る。いくつかの例では、第１のＴＴＩの中の制御領域用のＣｏＭＰ送信方式および制御領域の直交周波数分割多重（ＯＦＤＭ）シンボルの数は、ユーザ機器（ＵＥ）にシグナリングされ得る。
【００２２】
[0023]ワイヤレス通信の方法が記載される。方法は、通信用の第１のＴＴＩを識別することと、通信用の第２のＴＴＩを識別することと、ここにおいて、第２のＴＴＩが第１のＴＴＩよりも短い継続時間を有する、第１のＴＴＩに対する第２のＴＴＩを使用する送信のタイミングに基づいて、第２のＴＴＩを使用する送信のＣｏＭＰ送信方式を決定することとを含み得る。
【００２３】
[0024]ワイヤレス通信のための装置が記載される。装置は、通信用の第１のＴＴＩを識別するための手段と、通信用の第２のＴＴＩを識別するための手段と、ここにおいて、第２のＴＴＩが第１のＴＴＩよりも短い継続時間を有する、第１のＴＴＩに対する第２のＴＴＩを使用する送信のタイミングに基づいて、第２のＴＴＩを使用する送信のＣｏＭＰ送信方式を決定するための手段とを含み得る。
【００２４】
[0025]ワイヤレス通信のための別の装置が記載される。装置は、プロセッサと、プロセッサと電子通信しているメモリと、メモリに記憶された命令とを含む場合がある。命令は、通信用の第１のＴＴＩを識別することと、通信用の第２のＴＴＩを識別することと、ここにおいて、第２のＴＴＩが第１のＴＴＩよりも短い継続時間を有する、第１のＴＴＩに対する第２のＴＴＩを使用する送信のタイミングに基づいて、第２のＴＴＩを使用する送信のＣｏＭＰ送信方式を決定することとを行うように、プロセッサによって実行可能であり得る。
【００２５】
[0026]ワイヤレス通信のためのコードを記憶する非一時的コンピュータ可読媒体が記載される。コードは、通信用の第１のＴＴＩを識別することと、通信用の第２のＴＴＩを識別することと、ここにおいて、第２のＴＴＩが第１のＴＴＩよりも短い継続時間を有する、第１のＴＴＩに対する第２のＴＴＩを使用する送信のタイミングに基づいて、第２のＴＴＩを使用する送信のＣｏＭＰ送信方式を決定することとを行うように実行可能な命令を含み得る。
【００２６】
[0027]方法、装置、または非一時的コンピュータ可読媒体のいくつかの例では、ＣｏＭＰ送信方式は、第２のＴＴＩを使用する送信が第１のＴＴＩによる制御領域と一致するときディセーブルにされ得、ＣｏＭＰ送信方式は、第２のＴＴＩを使用する送信が第１のＴＴＩによるデータ領域と一致するときイネーブルにされ得る。
【００２７】
[0028]方法、装置、または非一時的コンピュータ可読媒体のいくつかの例では、ＣｏＭＰ送信方式は、第２のＴＴＩを使用する送信が第１のＴＴＩによる制御領域と一致するとき共通基準信号（ＣＲＳ）に基づき、ＣｏＭＰ送信方式は、第２のＴＴＩを使用する送信が第１のＴＴＩによるデータ領域と一致するとき復調基準信号（ＤＭ−ＲＳ）に基づき得る。
【００２８】
[0029]方法、装置、または非一時的コンピュータ可読媒体のいくつかの例では、第１のＴＴＩによる制御領域内のＯＦＤＭシンボルの量は可変であり得、１つまたは複数のＯＦＤＭシンボルは、ＯＦＤＭシンボルが制御領域ＯＦＤＭシンボルを備えるか、またはデータ領域ＯＦＤＭシンボルを備えるかを決定するためにブラインド復号され得る。
【００２９】
[0030]方法、装置、または非一時的コンピュータ可読媒体のいくつかの例では、第１のＴＴＩによる制御領域のＯＦＤＭシンボルの数は、第２のＴＴＩを使用して送信されるサブフレームのチャネルフォーマットインジケータおよびタイプに少なくとも部分的に基づいて決定され得る。
【００３０】
[0031]方法、装置、または非一時的コンピュータ可読媒体のいくつかの例では、第１のＴＴＩを使用して送信されるＯＦＤＭシンボルのサブセットは、サブセット内の各シンボルが制御情報を含むか、またはデータを含むかにかかわらず、第１のＴＴＩによる制御領域シンボルであるように構成され得る。
【００３１】
[0032]方法、装置、または非一時的コンピュータ可読媒体のいくつかの例では、第１のＴＴＩによる制御領域用のＣｏＭＰ送信方式および制御領域のＯＦＤＭシンボルの数は、ＵＥにシグナリングされ得る。
【００３２】
[0033]上記では、以下の発明を実行するための形態がよりよく理解され得るように、本開示による例の特徴および技術的利点がかなり広く概説された。さらなる特徴および利点が以下に記載される。開示される概念および具体例は、本開示の同じ目的を遂行するために他の構造を修正または設計するための基礎として容易に利用される場合がある。そのような均等な構成は、添付の特許請求の範囲から逸脱しない。本明細書で開示される概念の特性、それらの編成と動作方法の両方は、関連する利点とともに、添付の図に関して以下の説明を検討すると、よりよく理解されよう。図の各々は、例示および説明のみの目的で提供されるものであり、特許請求の範囲の制限の定義として提供されるものではない。
【００３３】
[0034]以下の図面を参照することによって、本開示の本質および利点のより一層の理解が実現され得る。添付の図では、同様の構成要素または特徴は、同じ参照ラベルを有する場合がある。さらに、同じタイプの様々な構成要素は、参照ラベルの後に、ダッシュと、同様の構成要素の間を区別する第２のラベルとを続けることによって区別される場合がある。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００３４】
【図１】本開示の様々な態様による、複数のＴＴＩ継続時間を使用する通信をサポートするワイヤレス通信システムの一例を示す図。
【図２】本開示の様々な態様による、複数のＴＴＩ継続時間を使用する協調通信をサポートするワイヤレス通信システムの一例を示す図。
【図３】本開示の様々な態様による、異なるＴＴＩ継続時間を有する通信の一例を示す図。
【図４Ａ】本開示の様々な態様による、第１のＴＴＩ継続時間を有するＣｏＭＰ通信をサポートするワイヤレス通信システムの一例を示す図。
【図４Ｂ】本開示の様々な態様による、第２のＴＴＩ継続時間を有するＣｏＭＰ通信をサポートするワイヤレス通信システムの一例を示す図。
【図５】本開示の様々な態様による、複数のＴＴＩ継続時間を使用するＣｏＭＰ通信をサポートすることができる、制御情報またはデータを含むＯＦＤＭシンボルの一例を示す図。
【図６】本開示の様々な態様による、複数のＴＴＩ継続時間を使用する協調通信についてのプロセスフローの一例を示す図。
【図７】本開示の様々な態様による、複数のＴＴＩ継続時間を使用する協調通信をサポートするワイヤレスデバイスのブロック図。
【図８】本開示の様々な態様による、複数のＴＴＩ継続時間を使用する協調通信をサポートするワイヤレスデバイスのブロック図。
【図９】本開示の様々な態様による、複数のＴＴＩ継続時間を使用する協調通信をサポートするＴＴＩパラメータモジュールのブロック図。
【図１０】本開示の様々な態様による、複数のＴＴＩ継続時間を使用する協調通信をサポートするＵＥを含むシステムの図。
【図１１】本開示の様々な態様による、複数のＴＴＩ継続時間を使用する協調通信をサポートする基地局を含むシステムの図。
【図１２】本開示の様々な態様による、複数のＴＴＩ継続時間を使用する協調通信のための方法を示すフローチャート。
【図１３】本開示の様々な態様による、複数のＴＴＩ継続時間を使用する協調通信のための方法を示すフローチャート。
【図１４】本開示の様々な態様による、複数のＴＴＩ継続時間を使用する協調通信のための方法を示すフローチャート。
【図１５】本開示の様々な態様による、複数のＴＴＩ継続時間を使用する協調通信のための方法を示すフローチャート。
【図１６】本開示の様々な態様による、複数のＴＴＩ継続時間を使用する協調通信のための方法を示すフローチャート。
【発明を実施するための形態】
【００３５】
[0052]ワイヤレス通信ネットワークのいくつかの展開では、複数の送信時間間隔（ＴＴＩ）構造がサポートされる場合があり、いくつかの通信は、旧来（traditional）またはレガシー（legacy）の継続時間（たとえば、１ミリ秒の継続時間（duration））である第１のＴＴＩを使用して実行され得、いくつかの通信は、第１のＴＴＩよりも継続時間が短い第２のＴＴＩ（たとえば、シンボルレベルのＴＴＩ）を使用して実行され得る。そのような展開は、いくつかの通信に対する待ち時間の削減を実現することができ、それは低レイテンシ（待ち時間：latency）通信と呼ばれる場合がある。本開示は、複数のＴＴＩを使用するワイヤレス通信の協調を介して通信を強化するための様々なツールと技法とを記載する。
【００３６】
[0053]本開示のいくつかの態様では、送信が第１のＴＴＩおよび第２のＴＴＩなどの複数のＴＴＩを使用し、第２のＴＴＩが第１のＴＴＩよりも短い継続時間を有する場合がある、送信の協調が実行され得る。パラメータの第１のセットのパラメータは、第１のＴＴＩを使用する通信のために決定され得、パラメータの第２のセットのパラメータは、第２のＴＴＩを使用する通信のために決定され得る。パラメータの第２のセット内の第１のパラメータは、パラメータの第１のセット内の対応するパラメータに関連付けまたはリンクされ得、第１のＴＴＩまたは第２のＴＴＩを使用する通信は、第１のパラメータを使用して実行され得る。そのようなパラメータは、たとえば、時間追跡（time tracking）パラメータもしくは周波数追跡（frequency tracking）パラメータのうちの少なくとも１つ、または両方を含む場合があり、その結果、パラメータの第２のセットのパラメータは、パラメータの第１のセットの対応するパラメータ（たとえば、時間、周波数など）に関連付けられる。
【００３７】
[0054]いくつかの展開では、ワイヤレス通信ネットワークは、２つ以上のワイヤレスネットワークノード（たとえば、基地局、アクセスポイント、ＵＥなど）が１つのＵＥにデータを送信することができる、多地点協調（ＣｏＭＰ：coordinated multi-point）送信を採用する場合がある。そのようなＣｏＭＰ送信は、異なるノードが異なる時間にＵＥにデータを送信する動的ポイント選択（ＤＰＳ：dynamic point selection）と、２つ以上のノードがＵＥにデータを同時に送信するジョイント送信（ＪＴ）と、２つ以上のノードが２つ以上のノード間の干渉（たとえば、基地局、隣接セル内のノードなどの間の干渉）を低減する信号送信を協調する（coordinates）協調ビームフォーミング（ＣＢＦ）とを含む、いくつかのＣｏＭＰ方式のうちの１つまたは複数を使用し得る。
【００３８】
[0055]いくつかの例では、第１のＴＴＩを使用するワイヤレスネットワークノードは、ノードの第１のＣｏＭＰ協働（cooperating）セットを形成し得、第２のＴＴＩを使用するワイヤレスネットワークノードは、ノードの第２のＣｏＭＰ協働セットを形成し得る。第１のパラメータは、いくつかの例では、ノードのＣｏＭＰ協働セットの各々に適用され得る。第１のパラメータは、たとえば、共通基準信号（ＣＲＳ）ベースのパラメータ、復調基準信号（ＤＭ−ＲＳ）ベースのパラメータ、チャネル状態情報（ＣＳＩ）プロセス用のパラメータ、仮想セル識別情報（ＶＣＩＤ）、または物理ダウンリンク共有チャネルレートマッチングおよび擬似コロケーションインジケータ（ＰＱＩ）構成を含み得る。
【００３９】
[0056]いくつかの例では、第２のＴＴＩを使用する送信のＣｏＭＰ方式は、第１のＴＴＩに対する第２のＴＴＩ送信のタイミングに基づいて決定され得る。たとえば、ＣｏＭＰ送信方式は、第２のＴＴＩを使用する送信が第１のＴＴＩの制御領域と一致する（たとえば、重複する、その間に発生する、またはその中に配置される）場合ディセーブルにされ得、ＣｏＭＰ送信方式は、第２のＴＴＩを使用する送信が第１のＴＴＩのデータ領域と一致する（たとえば、重複する、その間に発生する、またはその中に配置される）場合イネーブルにされ得る。そのようなＣｏＭＰ送信方式は、第２のＴＴＩを使用する送信が第１のＴＴＩの制御領域と一致する場合ＣＲＳに基づき、第２のＴＴＩを使用する送信が第１のＴＴＩのデータ領域と一致する場合ＤＭ−ＲＳに基づき得る。
【００４０】
[0057]上述のように、本開示の様々な態様によるワイヤレスシステムは、低レイテンシＴＴＩなどのＴＴＩ構造のうちの１つを使用する送信が、低レイテンシプロトコルを使用する動作をサポートしない受信デバイスに対して透過であり得る二重（dual）ＴＴＩ構造を採用し得、その結果、いくつかのデバイスは、いくつかの送信が異なるＴＴＩを有することを認識せずに、システム内で動作することができる。いくつかの展開では、低レイテンシ送信の数秘学（numerology）は、非低レイテンシシステム動作についての数秘学と整合し（be consistent with）得、低レイテンシ動作が可能なＵＥは低レイテンシシンボルを利用することができるが、低レイテンシ動作が可能でない、または場合によっては低レイテンシ動作向けに構成されていないＵＥは、シンボルを容易に無視することができる。本明細書に記載されるように、システムは、実装の労力を最小化し、後方互換性を助長するために、ＬＴＥ数秘学（たとえば、タイミング、ＴＴＩ構造など）を活用することができる。たとえば、低レイテンシをサポートするいくつかのシステムは、１５ｋＨｚのトーン間隔を含み、通常サイクリックプレフィックス（ＣＰ）用の約７１μｓのシンボル継続時間と、拡張ＣＰ用の約８３μｓのシンボル継続時間とを与えることができる。本手法は、このようにして、低レイテンシ動作が可能なＵＥと低レイテンシ動作が可能でないＵＥまたはレガシーＵＥ（たとえば、ＬＴＥ規格の初期バージョンに従って動作するＵＥ）の両方の統合を実現することができる。
【００４１】
[0058]上述のように、および本明細書でさらに記載されるように、低レイテンシＴＴＩ構造は、ワイヤレスシステムにおける待ち時間を削減することができる。たとえば、低レイテンシＴＴＩ構造をもたないＬＴＥシステムと比較して、待ち時間はほぼ４ｍｓからほぼ３００μｓに削減される場合がある。これは、待ち時間において１桁よりも大きい削減を表す。低レイテンシ期間ごとのＴＴＩは単一のシンボル期間であり得るので、（拡張ＣＰおよび通常ＣＰについて、それぞれ）１２ｘまたは１４ｘの潜在的な待ち時間の削減が実現される場合がある。
【００４２】
[0059]以下の説明は例を提供するものであり、特許請求の範囲に記載される範囲、適用性、または例を限定するものではない。本開示の範囲から逸脱することなく、説明される要素の機能および構成において変更が行われる場合がある。様々な例は、必要に応じて、様々な手順または構成要素を省略、置換、または追加する場合がある。たとえば、記載される方法は、記載される順序とは異なる順序で実行される場合があり、様々なステップが追加されるか、省略されるか、または組み合わされる場合がある。また、いくつかの例に関して記載される特徴は、他の例において組み合わされる場合がある。
【００４３】
[0060]図１は、本開示の様々な態様による、複数のＴＴＩ継続時間を使用する通信をサポートするワイヤレス通信システム１００の一例を示す。ワイヤレス通信システム１００は、基地局１０５と、複数のユーザ機器（ＵＥ）１１５と、コアネットワーク１３０とを含む。コアネットワーク１３０は、ユーザ認証と、アクセス認可と、トラッキングと、インターネットプロトコル（ＩＰ）接続性と、他のアクセス、ルーティング、またはモビリティの機能とを実現することができる。基地局１０５は、バックホールリンク１３２（たとえば、Ｓ１など）を介してコアネットワーク１３０とインターフェースする。基地局１０５は、ＵＥ１１５との通信用の無線構成およびスケジューリングを実行することができるか、または基地局コントローラ（図示せず）の制御下で動作することができる。様々な例では、基地局１０５は、有線またはワイヤレスの通信リンクであり得るバックホールリンク１３４（たとえば、Ｘ２など）上で、互いと直接的または（たとえば、コアネットワーク１３０を介して）間接的に通信する場合がある。
【００４４】
[0061]基地局１０５は、１つまたは複数の基地局アンテナを介してＵＥ１１５とワイヤレスに通信することができる。基地局１０５の各々は、それぞれの地理的カバレージエリア１１０に通信カバレージを提供することができる。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または他の何らかの適切な用語で呼ばれ得る。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局またはスモールセル基地局）を含み得る。異なる技術のための重複する地理的カバレージエリア１１０が存在し得る。
【００４５】
[0062]いくつかの例では、ワイヤレス通信システム１００は、ロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を記載するために使用され得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供することができる。「セル」という用語は、コンテキストに応じて、基地局、基地局に関連付けられたキャリアもしくはコンポーネントキャリア、または、キャリアもしくは基地局のカバレージエリア（たとえば、セクタなど）を記載するために使用することができる３ＧＰＰ（登録商標）用語である。
【００４６】
[0063]マクロセルは、概して、比較的大きい地理的エリア（たとえば、半径数キロメートル）をカバーし、ネットワークプロバイダのサービスに加入しているＵＥ１１５による無制限アクセスを可能にすることができる。スモールセルは、マクロセルと比較して、マクロセルと同じかまたは異なる（たとえば、認可、無認可などの）周波数帯域内で動作することができる低電力基地局である。様々な例によれば、スモールセルには、ピコセル、フェムトセル、およびマイクロセルが含まれる場合がある。ピコセルは、たとえば、小さい地理的エリアをカバーすることができ、ネットワークプロバイダのサービスに加入しているＵＥ１１５による無制限アクセスを可能にすることができる。フェムトセルも、小さい地理的エリア（たとえば、自宅）をカバーすることができ、フェムトセルとの関連を有するＵＥ１１５（たとえば、限定加入者グループ（ＣＳＧ）内のＵＥ１１５、自宅内のユーザのためのＵＥ１１５など）による制限付きアクセスを実現することができる。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（たとえば、２つ、３つ、４つなど）のセル（たとえば、コンポーネントキャリア）をサポートすることができる。
【００４７】
[0064]ワイヤレス通信システム１００は、同期動作または非同期動作をサポートすることができる。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合され得ない。本明細書に記載される技法は、同期動作または非同期動作のいずれかに使用され得る。
【００４８】
[0065]様々な開示される例のうちのいくつかに適応することができる通信ネットワークは、階層化プロトコルスタックに従って動作するパケットベースネットワークであり得、ユーザプレーン内のデータは、インターネットプロトコル（ＩＰ）に基づき得る。無線リンク制御（ＲＬＣ）レイヤは、論理チャネル上で通信するためにパケットのセグメンテーションおよびリアセンブリを実行することができる。媒体アクセス制御（ＭＡＣ）レイヤは、優先度ハンドリングと、トランスポートチャネルへの論理チャネルの多重化とを実行することができる。トランスポートチャネルは、ＭＡＣの下部にある（at the bottom of the MAC）トランスポートブロック内にあり得る。ＭＡＣレイヤはまた、リンク効率を改善するために、ハイブリッド自動再送要求（ＨＡＲＱ）手順を使用してＭＡＣレイヤにおける再送信を実現することができる。制御プレーンでは、無線リソース制御（ＲＲＣ）プロトコルレイヤは、ＵＥ１１５と基地局１０５との間のＲＲＣ接続の確立と構成と維持とを実現することができる。ＲＲＣプロトコルレイヤは、ユーザプレーンデータのための無線ベアラのコアネットワーク１３０サポートのために使用され得る。物理（ＰＨＹ）レイヤにおいて、トランスポートチャネルは、物理チャネルにマッピングされ得る。たとえば、ＭＡＣレイヤトランスポートブロックは、ＰＨＹレイヤにおいてサブフレームにマッピングされ得る。
【００４９】
[0066]ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語を含むか、または当業者によってそのように呼ばれる場合もある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、スモールセルｅＮＢ、中継基地局などを含む、様々なタイプの基地局およびネットワーク機器と通信することができる場合がある。
【００５０】
[0067]ワイヤレス通信システム１００の中に示された通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれ得、アップリンク送信は逆方向リンク送信と呼ばれ得る。各通信リンク１２５は１つまたは複数のキャリアを含み得、各キャリアは、上述された様々な無線技術に従って変調された複数のサブキャリア（たとえば、異なる周波数の波形信号）から構成される信号であり得る。各変調信号は、異なるサブキャリア上で送られ得、制御情報（たとえば、基準信号、制御チャネルなど）、オーバーヘッド情報、ユーザデータなどを搬送することができる。通信リンク１２５は、（たとえば、対（paired）スペクトルリソースを使用する）周波数分割複信（ＦＤＤ）または（たとえば、不対（unpaired）スペクトルリソースを使用する）時分割複信（ＴＤＤ）動作を使用して、双方向通信を送信し得る。フレーム構造が、ＦＤＤ（たとえば、フレーム構造タイプ１）およびＴＤＤ（たとえば、フレーム構造タイプ２）について定義され得る。
【００５１】
[0068]ワイヤレス通信システム１００のいくつかの例では、ＵＥ１１５は、たとえば、多入力多出力（ＭＩＭＯ）、多地点協調（ＣｏＭＰ）、または他の方式を介して、複数の基地局１０５と協力して通信するように構成され得る。ＭＩＭＯ技法は、複数のデータストリームを送信するために、基地局上の複数のアンテナおよび／またはＵＥ上の複数のアンテナを使用してマルチパス環境を利用することができる。ＣｏＭＰは、上述されたように、ＵＥ１１５のための全体的な送信品質を改善するために、ならびにネットワークおよびスペクトルの稼働率を上げるために、１つまたは複数の基地局１０５による送信および受信の協調のための技法を含み得る。ＣｏＭＰ技法は、ＵＥ１１５向けの制御プレーン通信とユーザプレーン通信とを協調（coordinate）させるために、基地局１０５間の通信用のバックホールリンク１３２および／または１３４を利用することができる。ＣｏＭＰ用の協調エリアは、たとえば、ｅＮＢ内ＣｏＭＰ（intra-eNB CoMP）またはｅＮＢ間ＣｏＭＰ（inter-eNB CoMP）を利用する同種展開を含み得る。本明細書に記載される様々な例では、ＣｏＭＰ協調エリア内のｅＮＢであり得る基地局１０５またはそれらのセルは、ＣｏＭＰ協働セット（CoMP coorperating set）と呼ばれ得る。いくつかの例では、ＵＥ１１５は（たとえば、デバイス間または「Ｄ２Ｄ」展開において）互いと直接通信し得、その場合、１つまたは複数のＵＥ１１５は、ＣｏＭＰ協働セットのノードであり得る。
【００５２】
[0069]様々な展開は、複数のＴＴＩを使用する通信を実現することができ、その中で、異なるＴＴＩを使用する通信はＣｏＭＰ送信技法を使用することができる。そのようなＣｏＭＰ通信は、ＤＰＳ、ＪＴ、またはＣＢＦのＣｏＭＰ送信方式を含む、いくつかのＣｏＭＰ送信方式のうちの１つまたは複数を使用することができる。様々な態様によれば、第１のＣｏＭＰ協働セット用の１つまたは複数のパラメータは、第１のＴＴＩを使用する通信用に決定され得、それらは、第２のＴＴＩ（たとえば、第１のＴＴＩよりも短い継続時間を有する第２のＴＴＩ）を使用し得る第２のＣｏＭＰ協働セット用の１つまたは複数の対応するパラメータに関連付けられ得る。そのようなパラメータは、たとえば、時間追跡パラメータ、周波数追跡パラメータのうちの少なくとも１つ、または両方を含み得、その結果、第２のＣｏＭＰ協働セットの時間追跡パラメータまたは周波数追跡パラメータなどのパラメータは、下記でより詳細に記載されるように、第１のＣｏＭＰ協働セットの対応するパラメータに関連付けられ得る。
【００５３】
[0070]ワイヤレス通信システム１００は、複数のセルまたはキャリア上での動作、すなわち、キャリアアグリゲーション（ＣＡ）またはマルチキャリア動作と呼ばれ得る特徴をサポートすることができる。キャリアは、コンポーネントキャリア（ＣＣ）、レイヤなどと呼ばれ得る。「キャリア」、「コンポーネントキャリア」、および「セル」という用語は、本明細書では互換的に使用され得る。ＵＥ１１５は、キャリアアグリゲーションのために、複数のダウンリンクＣＣおよび１つまたは複数のアップリンクＣＣで構成され得る。キャリアアグリゲーションは、ＦＤＤコンポーネントキャリアとＴＤＤコンポーネントキャリアの両方とともに使用され得る。場合によっては、ワイヤレス通信システム１００は、拡張ＣＣ（ｅＣＣ）を利用し得る。ｅＣＣは、フレキシブルな帯域幅と、可変長ＴＴＩと、修正された制御チャネル構成とを含む特徴によって特徴付けられ得る。場合によっては、ｅＣＣは、（たとえば、複数のサービングセルが準最適または理想的でないバックホールリンクを有するとき）キャリアアグリゲーション構成または二重接続性構成に関連付けられ得る。ｅＣＣはまた、（２つ以上の事業者がスペクトルを使用することを認可された場合）無認可スペクトルまたは共有スペクトル内で使用するために構成され得る。フレキシブルな帯域幅によって特徴付けられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００５４】
[0071]本開示のいくつかの態様は、（たとえば、サブフレームレベルおよびシンボルレベルにおいて）二重ＴＴＩ構造をサポートすることができるワイヤレス通信システム１００を提供することができる。低レイテンシリソースは、アップリンクおよびダウンリンクの共有チャネルと、アップリンクおよびダウンリンクの制御チャネルと、ランダムアクセスチャネルとを含む、様々な異なる物理チャネルを提供するように構成され得る。本開示の様々な態様は、複数の異なるＴＴＩを有する通信との協調と、複数の異なるＴＴＩを有するワイヤレス通信システム１００の効率的なアクセスおよび使用を実現することができる手順とを提供する。
【００５５】
[0072]図２は、本開示の様々な態様による、複数のＴＴＩ継続時間を使用する協調通信をサポートするワイヤレス通信システム２００の一例を示す。ワイヤレス通信システム２００は、図１を参照して記載されたＵＥ１１５の一例であり得る、ＵＥ１１５−ａを含み得る。ワイヤレス通信システム２００はまた、各々が図１を参照して記載された基地局１０５の一例であり得る、第１の基地局１０５−ａと、第２の基地局１０５−ｂと、第３の基地局１０５−ｃとを含む、複数の基地局１０５を含み得る。基地局１０５は、その地理的カバレージエリア１１０内でＵＥ１１５に制御とデータとを送信することができる。この例では、基地局１０５−ａ、１０５−ｂ、および１０５−ｃは、それぞれ、重複する地理的カバレージエリア１１０−ａ、１１０−ｂ、および１１０−ｃを有し得る。第１の基地局１０５−ａは、通信リンク１２５−ａを介してＵＥ１１５−ａと通信することができ、第２の基地局１０５−ｂは、通信リンク１２５−ｂを介してＵＥ１１５−ａと通信することができ、第３の基地局１０５−ｃは、通信リンク１２５−ｃを介してＵＥ１１５−ａと通信することができる。さらに、各基地局１０５は、バックホールリンク１３４を介して他の基地局１０５と通信することができる。
【００５６】
[0073]本開示の様々な態様では、基地局１０５（たとえば、基地局１０５−ａ、基地局１０５−ｂ、および基地局１０５−ｃ）は、１つまたは複数のＣｏＭＰ協働セットを形成することができ、ＵＥ１１５−ａとのＣｏＭＰ通信をサポートすることができる。たとえば、基地局１０５のうちの１つまたは複数は、より短い継続時間（たとえば、低レイテンシ）のＴＴＩを使用する通信用の能力を提供することができ、基地局１０５のうちの１つまたは複数は、非低レイテンシまたはレガシーＴＴＩと呼ばれ得る、より長い継続時間のＴＴＩ（たとえば、１ｍｓのＴＴＩ）を使用する通信用の能力を提供することができる。いくつかの例では、基地局１０５の各々は、複数のＴＴＩを使用する通信をサポートすることが可能であるか、または基地局１０５のサブセットは、１つのＴＴＩを使用する通信をサポートすることが可能である。いくつかの例では、第１のＣｏＭＰ協働セットは、基地局１０５のうちの２つ以上（たとえば、第１の基地局１０５−ａおよび第２の基地局１０５−ｂ）を含み得、より長い継続時間のＴＴＩを使用するＣｏＭＰ通信を提供し得、第２のＣｏＭＰ協働セットは、基地局のうちの２つ以上（たとえば、第２の基地局１０５−ｂおよび第３の基地局１０５−ｃ）を含み得、より短い継続時間のＴＴＩを使用するＣｏＭＰ通信を提供し得る。
【００５７】
[0074]様々な例では、基地局１０５によって実行されるＣｏＭＰ送信は、ＬＴＥ／ＬＴＥ−Ａ向けに確立された１つまたは複数のＣｏＭＰ送信方式と制御技法とを含み得る。たとえば、ＣｏＭＰ協働セット内の基地局１０５は、動的ポイント選択（ＤＰＳ）用のクロスセル制御を採用し、そこでは、制御情報は、たとえば、第１の基地局１０５−ａによって供給され得、データは、第２の基地局１０５−ｂおよび／または第３の基地局１０５−ｃによって供給され得る。そのような場合、動的レートマッチングは、第１の基地局１０５−ａとＵＥ１１５−ａとの間に確立された制御チャネルを介してシグナリングされ得る。別の例では、ＣｏＭＰ協働セットの１つまたは複数の基地局１０５は、復調基準信号（ＤＭ−ＲＳ）、チャネル状態情報基準信号（ＣＳＩ−ＲＳ）、および共通基準信号（ＣＲＳ）などの、様々な基地局１０５からの様々な基準信号の中で、擬似コロケートされた連結（quasi-collocated linkage）を提供し得る。そのような基準信号は、ＣｏＭＰ協調セットの基地局１０５に、タイミング、周波数追跡、またはチャネル推定情報を供給することができる。
【００５８】
[0075]本開示の様々な態様によれば、各々が異なるＴＴＩを使用する通信を提供することができる複数のＣｏＭＰ協働セットが提供され得、その中で、１つのＴＴＩのパラメータは別のＴＴＩのパラメータに関連付けられ得る。いくつかの例では、ＵＥ１１５−ａは、各基地局１０５からの基準信号のうちの１つまたは複数からの様々なパラメータを測定し、たとえば、第１の基地局１０５−ａに測定値を報告し得る。いくつかの例では、ＵＥ１１５−ａは、たとえば、ＣＳＩ−ＲＳまたはＤＭ−ＲＳなどの、１つのＴＴＩを使用する通信用の１つまたは複数の基準信号についての仮想セルＩＤ（ＶＣＩＤ）のセットに対して構成され得る。いくつかの例では、ＵＥ１１５−ａは、たとえば、ＴＴＩを使用する通信のために、共通ＣＲＳ位置と、ＣＳＩ−ＲＳ構成と、物理ダウンリンク共有チャネル（ＰＤＳＣＨ）開始シンボルとを提供され得る。いくつかの例では、１つのＴＴＩを使用する通信用のＶＣＩＤは、下記でより詳細に説明されるように、別のＴＴＩを使用する通信用のＶＣＩＤに関連付けられ得る。他の例では、基地局１０５−ｂまたは１０５−ｃのうちの１つまたは複数は、特定のＴＴＩのために複数のＣＳＩプロセスとともに使用するための、基地局１０５−ａからのランクインジケータ（ＲＩ）を継承し得る。
【００５９】
[0076]いくつかの展開では、たとえば、複数のＣＳＩプロセスを介してＣＳＩフィードバックが提供され得、干渉測定リソース（ＩＭＲ）ベースの干渉測定が提供され得る。さらに、たとえば、ＶＣＩＤ、レートマッチング、もしくはコロケーション、またはそれらの組合せを介して、ＣｏＭＰ協働セットの基地局１０５からの送信用の復調が強化され得る。ＣｏＭＰ通信に対するＣＳＩフィードバックは、上述のように、１つまたは複数のＣＳＩプロセスを介して提供され得、その中で、各ＣＳＩプロセスは、ＣＳＩフィードバック用のチャネルまたは干渉仮説を定義することができ、その中で、ＣＳＩプロセスは、チャネル測定用の非ゼロ電力（ＮＺＰ）ＣＳＩ−ＲＳに関連付けられるか、または干渉測定用の１つもしくは複数のＩＭＲに関連付けられ得る。いくつかの展開では、４つまでのＣＳＩプロセスが構成され得、その中で、各ＣＳＩプロセスは、たとえば、特定のサブフレームセットに関連付けられ得る。上述のように、ＣＳＩプロセスは、チャネル測定に使用され得るＮＺＰ  ＣＳＩ−ＲＳに関連付けられ得る。いくつかの展開では、３つまでのＮＺＰ  ＣＳＩ−ＲＳリソースが構成され得る。いくつかのＣＳＩプロセスは、上述のように、干渉測定が行われ得る１つまたは複数のリソース要素（ＲＥ）であり得る、ＩＭＲに関連付けられ得る。いくつかの展開では、３つまでのＩＭＲが構成される場合がある。このようにして、１つまたは複数のＮＺＰ  ＣＳＩ−ＲＳおよび１つまたは複数のＩＭＲの組合せは、ＣｏＭＰ協働セットのための４つまでのＣＳＩプロセスを提供するように組み合わされ得る。加えて、１つまたは複数のゼロ電力（ＺＰ）ＣＳＩ−ＲＳリソースが提供され、それは、ＩＭＲのまわりのレートマッチングを実現し、ネットワークがＩＭＲ  ＲＥ上の適切な干渉状態を生成することが可能になるように、ＵＥ１１５−ａのレートマッチング挙動（behavior）を定義するために使用され得る。さらに、ＮＺＰ  ＣＳＩ−ＲＳのまわりのレートマッチングは、ネットワークがチャネル測定精度を上げるために、ＣＳＩ−ＲＳ  ＲＥ上の信号対干渉プラス雑音比（ＳＩＮＲ）状態を上げることを可能にする。いくつかの展開では、４つまでの異なるＺＰ  ＣＳＩ−ＲＳ構成がサポートされ得る（たとえば、レートマッチングセット当たり１つ）。
【００６０】
[0077]上述されたように、ＤＰＳ送信方式などの様々なＣｏＭＰ送信方式は復調を強化することができる。そのようなＤＰＳ方式は、物理セル識別子（ＰＣＩ）ではなく、ＵＥ１１５−ａが使用するための仮想セルＩＤ（ＶＣＩＤ）の構成を提供することができ、それは、ＤＭ−ＲＳシーケンス初期化に使用され得る。いくつかの展開では、２つまでのＶＣＩＤは、動的に交換され得る（たとえば、ダウンリンク制御情報（ＤＣＩ）内で示される）。ＤＰＳ方式は、擬似コロケーション（ＱＣＬ）挙動のサポートを提供し得、時間追跡および／または周波数追跡に関して行われる場合がある仮説に関する情報を提供することができる。ネットワークは、ＵＥ１１５−ａがシグナリングされた仮説を採用することに起因して重要な性能劣化が発生しない限り、実際の物理的な送信のための厳密なコロケーションから外れ得る。ＤＰＳはまた、異なる基地局１０５からの送信間の動的なレートマッチングに対するサポートを提供できる。
【００６１】
[0078]基準信号タイプが同じか異なるかに依存し得る、様々なＱＣＬ挙動が提供され得る。いくつかの展開では、同じ基準信号タイプ内のＱＣＬ挙動は、基準信号のタイプに依存し得る。ＮＺＰ  ＣＳＩ−ＲＳリソースの場合、いくつかの態様では、ポートは、遅延拡散、受信電力、周波数シフト、ドップラー拡散、および受信タイミングに関して擬似コロケートされたように仮定され得る。ＣＲＳリソースの場合、ＣＲＳは、遅延拡散、受信電力、周波数シフト、ドップラー拡散、または受信タイミングなどの、１つまたは複数の長期チャネル特性に関して擬似コロケートされたように仮定され得る。ＰＤＳＣＨ  ＤＭ−ＲＳリソースの場合、復調基準信号（ＤＭＲＳ）は、たとえば、遅延拡散、受信電力、周波数シフト、ドップラー拡散、または受信タイミングに関して、サブフレーム内で擬似コロケートされたように仮定され得る。
【００６２】
[0079]いくつかの例では、基準信号タイプにわたるワイヤレスネットワークノードのＱＣＬ挙動が提供され得る。たとえば、ＰＤＳＣＨ  ＤＭ−ＲＳ対ＣＳＩ−ＲＳまたはＣＲＳの基準信号タイプの場合、ＣＲＳ、ＣＳＩ−ＲＳ、およびＰＤＳＣＨ  ＤＭＲＳが、少なくとも周波数シフト、ドップラー拡散、受信タイミング、および遅延拡散に関して擬似コロケートされるように仮定され得るレガシー挙動が提供され得る。他の例では、ＣｏＭＰ挙動が提供され得、その中で、ＰＤＳＣＨ  ＤＭＲＳおよび特定のＣＳＩ−ＲＳリソースが、たとえば、遅延拡散、ドップラー拡散、ドップラーシフト、または平均遅延に関して擬似コロケートされるように仮定されると、物理レイヤシグナリングによって示され得ることを除いて、ＣＲＳ、ＣＳＩ−ＲＳ、およびＰＤＳＣＨ  ＤＭ−ＲＳは、擬似コロケートされるように仮定され得ない。いくつかの例では、各ＣＳＩ−ＲＳリソースについて、ネットワークは、ＲＲＣシグナリングにより、セルのＣＳＩ−ＲＳポートおよびＣＲＳポートがドップラーシフトまたはドップラー拡散に関して擬似コロケートされると仮定され得ることを示し得る。
他の例では、１次同期信号（ＰＳＳ）、２次同期信号（ＳＳＳ）、またはＣＲＳ基準信号のタイプについて、サービングセル用のポートは、たとえば、周波数シフトまたは受信タイミングに関して擬似コロケートされると仮定され得る。
【００６３】
[0080]上述されたように、いくつかの例では、（たとえば、物理レイヤシグナリングによって示されたように）ＰＤＳＣＨ  ＤＭＲＳおよび特定のＣＳＩ−ＲＳリソースが、たとえば、遅延拡散、ドップラー拡散、ドップラーシフト、または平均遅延に関して擬似コロケートされると仮定され得ることを除いて、ＣＲＳ、ＣＳＩ−ＲＳ、およびＰＤＳＣＨ  ＤＭＲＳは、擬似コロケートされると仮定され得ない。そのような仮説は、シグナリングされたＮＺＰ  ＣＳＩ−ＲＳリソースに基づいて、時間追跡を容易にし得る。いくつかの例では、各ＣＳＩ−ＲＳリソースについて、ネットワークは、ＲＲＣシグナリングにより、セルのＣＳＩ−ＲＳポートおよびＣＲＳポートがドップラーシフトおよびドップラー拡散に関して擬似コロケートされると仮定され得ることを示し得、それにより、ＣＳＩ−ＲＳでは可能ではない周波数追跡が容易にし得る。
【００６４】
[0081]いくつかの態様では、ＤＰＳ  ＣｏＭＰ送信方式の場合、様々なワイヤレスネットワークノード（たとえば、第１の基地局１０５−ａおよび第２の基地局１０５−ｂ）は、様々なＣＲＳ位置と、ＺＰ  ＣＳＩ−ＲＳ構成と、ＰＤＳＣＨ開始シンボルとを有し得る。様々なレートマッチング挙動でそのような様々なセル間の動的切替えを容易にするために、ＵＥ１１５−ａは、たとえば、ＣＲＳポートの数およびＣＲＳ周波数シフトと、ＺＰ  ＣＳＩ−ＲＳ構成と、ＰＤＳＣＨ開始シンボルとを通知され得る。いくつかの展開では、レートマッチングおよびＱＣＬの動的指示のために合計４つの状態がＲＲＣ構成され得、そのような状態は「ＰＱＩ」状態と呼ばれ、状態の各々の中に下記の表１からの情報が含まれ得る。
【００６５】
【表１】
0006700305.tif 000002
【００６６】
[0082]様々な展開では、ＰＤＳＣＨ  ＲＥマッピングおよびＱＣＬインジケータ（ＰＱＩ）フィールドは、ＣｏＭＰ送信をサポートするためにシグナリングされ得る。いくつかの例では、ＰＱＩフィールドは、基地局１０５からのＤＣＩ送信内に設けられ得る。そのようなＰＱＩ  ＤＣＩ情報は、たとえば、レートマッチングおよびＱＣＬの動的シグナリングを提供し得る２ビットフィールド内で提供され得、その中で、４つの状態はネットワークによって構成され、そのようなＰＱＩシグナリングを介して動的にシグナリングされ得る。
【００６７】
[0083]説明されたように、様々な例では、図１または図２のシステム１００または２００などのワイヤレス通信システムは、（たとえば、サブフレームレベルおよびシンボルレベルにおいて）二重ＴＴＩ構造を利用し得る。図３は、本開示の様々な態様による、異なるＴＴＩ継続時間を有する通信（たとえば、サブフレームレベル通信３０５およびシンボルレベル通信３１０）の例３００を示す。本開示の様々な態様によれば、ワイヤレスネットワークノード（たとえば、図１または図２を参照して記載された基地局１０５またはＵＥ１１５）は、サブフレームレベル通信３０５または低レイテンシ通信３１０のうちの１つまたは両方を使用して通信することができる。サブフレームレベル通信３０５は、レガシーＬＴＥ無線フレームを構成することができる１０個のサブフレーム３１５などの、無線フレームを構成するいくつかのサブフレーム３１５を使用することができる。各サブフレームは、サブフレームレベル通信３０５用のＴＴＩを定義することができる、１ｍｓのサブフレームであり得る。低レイテンシ通信３１０は、低レイテンシシンボルと呼ばれ得、低レイテンシ通信３１０用のＴＴＩを定義することができる、いくつかのシンボル３２０を含み得る。
【００６８】
[0084]低レイテンシ通信３１０は、低レイテンシ通信をサポートしないレガシーＵＥなどのいくつかの受信デバイスに対して透過（transparent）であり得、その結果、いくつかのデバイスは、サブフレームレベル通信３０５と低レイテンシシンボルレベル通信３１０の両方をサポートするシステム内で動作することができる。いくつかの展開では、低レイテンシシンボル３２０の数秘学（numerology）は、サブフレーム３１５用の数秘学と整合し得、図３の例では、１４個のシンボル３２０は、１ｍｓのサブフレーム３１５の継続時間に対応し得る。そのような方式では、低レイテンシ通信をサポートするＵＥ１１５は、低レイテンシ通信３１０のシンボル３２０を利用することができるが、低レイテンシ通信をサポートしないＵＥ１１５、またはレガシーモードで動作しているＵＥ１１５は、シンボル３２０を容易に無視することができる。システムは、実装の労力を最小化し、後方互換性を助長するために、ＬＴＥ数秘学（たとえば、タイミング、ＴＴＩ構造など）を活用することができる。たとえば、いくつかのシステムでは、低レイテンシ通信３１０をサポートすることは、７１μｓのシンボル３２０の継続時間を提供するために、１５ｋＨｚのトーン間隔と通常ＣＰとを含み得る。そのようなＴＴＩ構造は、サブフレームレベル通信３０５の場合の待ち時間と比較して、ワイヤレスシステム内の待ち時間をかなり削減することができる。たとえば、サブフレームレベル通信３０５は、サブフレーム３１５の送信とサブフレーム３１５の受信の確認応答との間にほぼ４ｍｓの待ち時間を有し得、低レイテンシ通信３１０は、シンボル３２０の送信とシンボル３２０の受信の確認応答との間にほぼ３００μｓの待ち時間を有し得る。これは、待ち時間において１桁よりも大きい削減を表す。低レイテンシ期間ごとのＴＴＩは単一のシンボル３２０の期間であり得るので、（それぞれ、拡張ＣＰおよび通常ＣＰの場合）１２ｘまたは１４ｘの潜在的な待ち時間の削減が実現され得る。
【００６９】
[0085]いくつかの例によれば、２つ以上の基地局（たとえば、図１または図２の２つ以上の基地局１０５）は、サブフレームレベル通信３０５を使用する通信をサポートすることができる第１のＣｏＭＰ協働セットに含まれ得、２つ以上の（同じかまたは異なる）基地局（たとえば、図１または図２の２つ以上の基地局１０５）は、低レイテンシ通信３１０を使用する通信をサポートすることができる第２のＣｏＭＰ協働セットに含まれ得る。異なるＴＴＩを使用して通信する基地局間のＣｏＭＰ送信方式を容易にするために、１つのＴＴＩの１つまたは複数のパラメータは、他のＴＴＩの対応するパラメータに関連付けられる場合がある。たとえば、図２を参照して上記で説明されたＣｏＭＰ通信に関連付けられたパラメータのうちの１つまたは複数は、下記でより詳細に説明されるように、２つの異なるＴＴＩの間で関連付けられ得る。
【００７０】
[0086]上述されたように、いくつかの例では、ワイヤレスネットワークノード（たとえば、図１または図２を参照して記載された基地局１０５またはＵＥ１１５）は、通信用の異なるＴＴＩを使用し得、１つのＴＴＩに関連付けられた１つまたは複数のパラメータを、別のＴＴＩを使用する通信用の１つまたは複数の対応するパラメータにリンクし得る。いくつかの例では、異なるＴＴＩを使用して通信する複数の基地局１０５は、異なるＣｏＭＰ協働セットに含まれ得る。したがって、第１のＴＴＩを使用する通信用の第１のＣｏＭＰ協働セットに含まれ得る基地局１０５は、第２のＴＴＩ（たとえば、第１のＴＴＩよりも短い継続時間を有する第２のＴＴＩ）を使用する通信用の第２のＣｏＭＰ協働セット内の基地局１０５とは異なり得る。
【００７１】
[0087]図４Ａおよび図４Ｂは、本開示の態様による、異なるＴＴＩ継続時間を有するＣｏＭＰ通信をサポートするワイヤレス通信システムの例を示す。図４Ａおよび図４Ｂのワイヤレス通信システムは、図１または図２を参照して記載されたワイヤレス通信システム１００または２００の部分の一例であり得、異なるＴＴＩ継続時間を有する通信を使用してＵＥ１１５−ｂと通信することができる、ＣｏＭＰ協働セット内の基地局１０５を含み得る。基地局１０５は、図１または図２を参照して記載された基地局１０５の例であり得、ＵＥ１１５−ｂは、図１または図２を参照して記載されたＵＥ１１５の一例であり得る。
【００７２】
[0088]ワイヤレス通信システムの第１のサポートされる動作モード４００−ａが図４Ａに示され、その中で、基地局１０５−ｄ、１０５−ｅ、および１０５−ｆは、第１のＴＴＩ通信を使用するＵＥ１１５−ｂとのＣｏＭＰ通信を利用することができる。図４Ａの例では、基地局１０５−ｄは、通信リンク１２５−ｄを介してＵＥ１１５−ｂと通信し得、基地局１０５−ｅは、通信リンク１２５−ｅを介してＵＥ１１５−ｂと通信することができ、基地局１０５−ｆは、通信リンク１２５−ｆを介してＵＥ１１５−ｂと通信し得る。通信リンク１２５−ｄ、１２５−ｅ、および１２５−ｆの各々は、たとえば、サブフレームベースの１ｍｓのＴＴＩなどの第１のＴＴＩを使用する通信を提供し得る。ワイヤレス通信システムの第２のサポートされる動作モード４００−ｂが図４Ｂに示され、その中で、基地局１０５−ｄ、１０５−ｅ、および１０５−ｆの同じセットは、たとえば、低レイテンシＴＴＩなどの第２のＴＴＩを使用する通信をサポートすることができる。図４Ｂの例では、基地局１０５−ｅおよび基地局１０５−ｆは、第２のＴＴＩ通信を使用するＵＥ１１５−ｂとのＣｏＭＰ通信を利用し得る。
【００７３】
[0089]図４Ｂの例では、基地局１０５−ｅは、通信リンク１２５−ｇを介してＵＥ１１５−ｂとの低レイテンシＴＴＩ通信を実行する場合があり、基地局１０５−ｆは、通信リンク１２５−ｈを介してＵＥ１１５−ｂとの低レイテンシＴＴＩ通信を実行する場合がある。この例では、基地局１０５−ｄは低レイテンシＴＴＩ通信をサポートし得るが、たとえば、低レイテンシＴＴＩ通信が比較的小さいカバレージエリアを有すること、およびＵＥ１１５−ｂが基地局１０５−ｄ用の低レイテンシカバレージエリアの外側にいることに起因して、ＵＥ１１５−ｂにそのような通信を提供しない場合がある。いくつかの展開では、低レイテンシＴＴＩを使用する通信は、より長い継続時間のＴＴＩを使用する通信（たとえば、１ｍｓのサブフレームベースのＴＴＩを有する通信）よりも小さいカバレージエリアを有する場合がある。加えて、いくつかの例では、より短い継続時間のＴＴＩを使用するアップリンク送信用のカバレージエリアは、より短い継続時間のＴＴＩを使用するダウンリンク送信用のカバレージエリアよりも小さい場合がある。これは、当業者によって容易に理解されるように、なぜ基地局１０５−ｄがＵＥ１１５−ｂに低レイテンシ通信を提供しない場合があるかに関する多くのうちの一例にすぎない。
【００７４】
[0090]第１のサポートされる動作モード４００−ａのＣｏＭＰ通信および第２のサポートされる動作モード４００−ｂのＣｏＭＰ通信は、各々、たとえば、ＤＰＳ、ＪＴ、もしくはＣＢＦのＣｏＭＰ送信、またはそれらの組合せを含み得る。いくつかの例では、低レイテンシ通信は比較的速いＣＳＩフィードバックを提供し得、それにより、ＤＰＳのＣｏＭＰ送信方式が異なる低レイテンシＴＴＩ用の送信ポイントを効率的に選択することが可能になり得、より効率的な通信が可能になり得る。いくつかの例では、ＵＥ１１５−ｂは、第１のサポートされる動作モード４００−ａにおいて第１のＴＴＩ通信用の異なるサービングセルを有し得、所与の時点で、ＵＥ１１５−ｂは、第２のサポートされる動作モード４００−ｂにおいて第２のＴＴＩ通信用の同じかまたは異なるサービングセルを有し得る。様々な例では、第１のサポートされる動作モード４００−ａまたは第２のサポートされる動作モード４００−ｂによって示されたものなどの、ワイヤレスネットワークの一部分内の基地局１０５の各々は、二重ＴＴＩ通信をサポートし得る。いくつかの例では、ＵＥ１１５−ｂにカバレージを提供することができる基地局１０５の各々は、第１のＴＴＩ通信用の第１のＣｏＭＰ協働セットに含まれ得、第１のＣｏＭＰ協働セット内の基地局１０５のうちの基地局１０５−ｂのサブセットは、第２のＴＴＩ通信用の第２のＣｏＭＰ協働セットに含まれる。
【００７５】
[0091]上記で説明されたように、いくつかの例では、パラメータの第１のセットは第１のＴＴＩ通信用に決定される場合があり、パラメータの第２のセットは第２のＴＴＩ通信用に決定される場合があり、パラメータの第２のセット内の第１のパラメータは、パラメータの第１のセット内の対応するパラメータに関連付けられる場合がある。次いで、第１のＴＴＩまたは第２のＴＴＩのうちの１つまたは両方と第１のパラメータとを使用して、通信が実行される場合がある。第１のパラメータは、下記でより詳細に説明されるように、異なるＴＴＩを使用する送信間で、時間／周波数追跡パラメータなどのいくつかの通信関連パラメータのうちのいずれかを共有するために使用され得る。上述されたように、場合によっては、ＵＥ１１５−ｂは、１つのＴＴＩに対して基地局１０５のカバレージエリアの外側にいるが、別のＴＴＩに対して基地局１０５のカバレージエリア内にいる場合がある。ＵＥ１１５−ｂがＴＴＩのうちの１つを使用する通信用の２つ以上の基地局１０５のカバレージエリア内にいないが、別のＴＴＩを使用する通信用の２つ以上の基地局１０５のカバレージエリア内にいる場合、ＣｏＭＰ通信は、カバレージの複数の基地局を有するＴＴＩに対してのみイネーブルになり得る。いくつかの例では、第２のＴＴＩ通信用のダウンリンク通信は、ＣＲＳベースまたはＤＭ−ＲＳベースであり得る低レイテンシＣｏＭＰ通信であり得る。
【００７６】
[0092]異なるＴＴＩ通信用に様々なパラメータが決定され得る。そのようなパラメータのうちのいくつかは、ＣＳＩフィードバックに関係し得る。いくつかの例では、ＵＥ１１５−ｂは、第１のＴＴＩのＣｏＭＰ通信だけでなく、第２のＴＴＩ通信を使用する低レイテンシＣｏＭＰ通信で構成され得る。いくつかの例では、ＵＥ１１５−ｂ用に２つ以上のＣＳＩプロセスが構成され得、場合によっては、第１のＴＴＩ通信よりも短い継続時間のＴＴＩを有し得る第２のＴＴＩ通信を使用するＣｏＭＰ通信に、（いくつかの例ではより多いかまたは少ないＣＳＩプロセスが使用され得るが）４つまでのＣＳＩプロセスが使用され得る。第１のＴＴＩ通信用のＣＳＩプロセスだけでなく、第２のＴＴＩ通信用のＣＳＩプロセスは、周期的または非周期的に、制御チャネル通信において送信されるトリガなどを介して、構成および／またはトリガされ得る。
【００７７】
[0093]いくつかの例では、第１のＴＴＩ通信および第２のＴＴＩ通信のＣＳＩプロセスの間で関連付けが定義され得、いくつかの例では、第２のＴＴＩ通信用のＣＳＩは、第１のＴＴＩ通信の１つまたは複数のＣＳＩプロセスからの差分報告（differential reporting）に基づき得る。たとえば、ＵＥ１１５−ｂは、第２のＴＴＩ通信用の２つのＣＳＩプロセスおよび第１のＴＴＩ通信用の４つのＣＳＩプロセスで構成され得る。そのような例では、例示的な関連付けは、第２のＴＴＩ通信用の第１のＣＳＩプロセスが第１のＴＴＩ通信用の第１のＣＳＩプロセスに関連付けられること、および第２のＴＴＩ通信用の第２のＣＳＩプロセスが第１のＴＴＩ通信用の第２のＣＳＩプロセスに関連付けられ得る。そのような関連付け定義は、あらかじめ定義され得るか、または、たとえば、ＲＲＣシグナリングなどのシグナリングに基づき得る。結果として、２つの関連付けられたＣＳＩプロセスは、同じＲＩ、ＰＭＩ、ＰＴＩなどを共有し得る（たとえば、第２のＴＴＩのＣＳＩプロセスのＲＩは、関連付けられた第１のＴＴＩのＣＳＩプロセスのＲＩから継承され得る）。いくつかの例では、第２のＴＴＩ用のＣＱＩは、関連付けられたＣＳＩプロセスの第１のＴＴＩ通信のＣＱＩに基づくデルタＣＱＩとして導出され得る。いくつかの例では、第２のＴＴＩ通信および第１のＴＴＩ通信のＣＳＩプロセスに対するサブセット制限で、別々のコードブックが構成され得る。したがって、そのような例では、第１のＴＴＩ通信用および第２のＴＴＩ通信用に、異なるＲＩ／ＰＭＩなどを有することが可能であり得る。いくつかの例では、第１のＴＴＩ通信および第２のＴＴＩ通信のＣＳＩプロセスは、デフォルト設定を介して関連付けられ得、その関連付けはＲＲＣ構成を介して切り離され得る。
【００７８】
[0094]異なるＴＴＩによる通信用に決定される様々なパラメータは、ＶＣＩＤの構成および管理に関係し得る。いくつかの例では、ＵＥ１１５−ｂは、第１のＴＴＩ通信用および第２のＴＴＩ通信用の１つまたは複数のＶＣＩＤで構成され得る。いくつかのレガシー展開では、たとえば、図４Ａの例における第１のＴＴＩ通信などのサブフレームベースのＴＴＩを使用するＣｏＭＰ通信について、２つまでのダウンリンクＣｏＭＰのＶＣＩＤが構成され得るか、または１つのアップリンクＣｏＭＰのＶＣＩＤが構成され得る。本開示のいくつかの態様では、低レイテンシＴＴＩ通信などの、図４Ｂの例における第２のＴＴＩ通信用のＶＣＩＤ構成は、第１のＴＴＩ通信用のＶＣＩＤ構成とは別に構成され得る。そのような設計は、ＶＣＩＤの管理および構成において柔軟性を与えることができる。
【００７９】
[0095]追加または代替として、いくつかの例では、そのような別々に構成されたＶＣＩＤは、１つまたは複数の時間追跡パラメータまたは周波数追跡パラメータの共有を容易にするために、第１のＴＴＩ通信用のＶＣＩＤ間の関連付けを提供され得る。たとえば、第２のＴＴＩ通信の第１のＶＣＩＤは、第１のＴＴＩ通信の第１のＶＣＩＤに関連付けられ得る。したがって、そのようなＶＣＩＤは別々に構成され得るが、異なるＴＴＩ通信のいくつかのＶＣＩＤは別のＶＣＩＤに関連付けられ得る。他の例では、第２のＴＴＩ通信のＶＣＩＤは別個に構成されないが、代わりに、第１のＴＴＩ通信からの同じＶＣＩＤ構成を再使用し得る。第１のＴＴＩ通信用に２つのＶＣＩＤが構成される場合、様々な例は、第２のＴＴＩ通信が１つまたは２つのＶＣＩＤで構成され得ることを規定し得る。
【００８０】
[0096]いくつかの例では、ＤＭ−ＲＳベースのダウンリンク共有チャネル送信の場合、ダウンリンク共有チャネル送信にどのＶＣＩＤを使用するべきかを示すために、インジケータがダウンリンク制御チャネルに含まれ得る。いくつかの例では、ダウンリンク制御チャネル送信（たとえば、物理ダウンリンク制御チャネル（ＰＤＣＣＨ）送信）は、２段階動作を有し得、その中で、比較的まれに変化し得る情報のためにいくつかのより低い頻度の送信が行われ得、比較的頻繁に変化する制御チャネル情報のために他のより高い頻度の送信が行われ得る。そのような例では、そのようなＶＣＩＤ（または、下記で説明されるようなＰＱＩ構成）をどれだけ頻繁に変更することが所望され得るかに応じて、制御チャネルシグナリングのいずれかの段階で、ＶＣＩＤインジケータが提供され得る。共有チャネル送信用のＶＣＩＤ情報は、制御チャネル内でシグナリングされ得るが、制御チャネル送信用のＶＣＩＤ情報は、いくつかの例によれば、あらかじめ決められ得る。たとえば、共有チャネル送信用に２つのＶＣＩＤが構成される場合、第１のＶＣＩＤは、制御チャネル送信において使用するためにあらかじめ定義され得る。他の例では、第１のＶＣＩＤは第１の制御チャネル復号候補のために決定され得、第２のＶＣＩＤは第２の制御チャネル復号候補のために決定され得る。
【００８１】
[0097]また、上記で説明されたように、異なるＴＴＩの通信用に決定され得るパラメータの様々なものは、ＰＱＩの構成および管理に関係し得る。いくつかの例では、ＵＥ１１５−ｂは、第１のＴＴＩ通信と比較して第２のＴＴＩ通信用の別々のＰＱＩ構成で構成され得るか、または第２のＴＴＩ通信に第１のＴＴＩ通信用のＰＱＩを再使用するように構成され得る。別々のＰＱＩ構成が提供され得る例では、たとえば、時間追跡パラメータまたは周波数追跡パラメータの共有、レートマッチングパラメータの共有などを可能にするために、第１のＴＴＩの対応するＰＱＩとの関連付けが提供され得る。上記で説明されたように、ＰＱＩ構成は、ＤＭ−ＲＳとＮＺＰ  ＣＳＩ−ＲＳとの間のＱＣＬ仮説と、レートマッチング用のＣＲＳ構成（ＣＲＳポート、周波数シフト）と、レートマッチング用のＺＰ  ＣＳＩ−ＲＳと、マルチブロードキャスト信号周波数ネットワーク（ＭＢＳＦＮ）構成と、ＰＤＳＣＨ開始シンボルとを含む、情報のいくつかの項目を提供することができる。同様に上記で説明されたように、ＵＥ１１５−ｂなどのＵＥは、ＰＱＩ状態の４つのセットで構成され得、セットは、ＤＣＩ送信において送信され得る２ビットのＰＱＩに基づいて選択可能であり得る。いくつかの例によれば、１つまたは複数の第２のＴＴＩ通信用にどのＰＱＩ構成を使用するべきかを示すことができる１つまたは複数のビットは、第２のＴＴＩ通信用の制御チャネル送信に含まれ得る。いくつかの例では、そのようなインジケータは、上記で説明されたものなどの２ビットインジケータであり得るか、または、２つの可能なＰＱＩ構成用の１ビットインジケータであり得る。そのようなインジケータは、ＶＣＩＤに関して上記で説明されたのと同様に、２段階制御チャネルシグナリングの１つの段階において送信され得る。
いくつかの例では、制御チャネル送信用のＰＱＩ構成は、たとえば、共有チャネル送信用の第１のＰＱＩ構成などの、あらかじめ決められたＰＱＩ構成に基づき得る。他の例では、ＶＣＩＤ構成に関して上記で説明されたのと同様に、第１のＰＱＩ構成は第１の制御チャネル復号候補のために決定され得、第２のＰＱＩ構成は第２の制御チャネル復号候補のために決定され得る。
【００８２】
[0098]いくつかの例では、第２のＴＴＩ送信用のＰＱＩ構成の一部としてのＣＲＳベースのレートマッチングの場合、そのようなレートマッチングは、ＣＲＳが存在し得るシンボルにのみ適用可能であり得る。すなわち、非ＣＲＳシンボルの場合、ＣＲＳベースのレートマッチングは、制御チャネル送信または共有チャネル送信では無視され得る。同じく、ＮＺＰ  ＣＳＩ−ＲＳ送信およびＺＰ  ＣＳＩ−ＲＳ送信に同様の処理が適用され得る。いくつかの例では、送信がＣＲＳシンボルを含むか、またはＣＳＩ−ＲＳシンボルを含むかに関して、決定が行われ得る。シンボルがＣＲＳシンボルか、またはＣＳＩ−ＲＳシンボルかのそのような決定は、暗示的または明示的であり得る。いくつかの例では、ＣＲＳシンボルは、ＣＲＳポートの数に基づいて暗示的に導出され得、ＣＳＩ−ＲＳシンボルは、ＲＲＣ構成に基づいて導出され得る（たとえば、ＲＲＣは、どのシンボルがＣＳＩ−ＲＳシンボルであるかを示す）。いくつかの例では、ＣＲＳシンボルまたはＣＳＩ−ＲＳシンボルは、たとえば、ＣＲＳまたはＣＳＩ−ＲＳを有するシンボルのビットマップなどを介して、明示的にシグナリングされ得る。
【００８３】
[0099]いくつかの例では、第２のＴＴＩ通信用のＤＭ−ＲＳリソースは時間的に近接するか、または第１のＴＴＩ通信用の対応するＤＭ−ＲＳリソースと一致することが起こり得る。いくつかの例では、第１のＴＴＩ通信と第２のＴＴＩ通信との間にＱＣＬが適用されると仮定され得る。いくつかの例では、ＱＣＬの関連付けは、明示的または暗示的のいずれかでＲＲＣ構成に基づき得る。たとえば、ＱＣＬは、第２のＴＴＩ通信と第１のＴＴＩ通信の両方が同じＶＣＩＤを有する場合、両方のために仮定され得る。
【００８４】
[0100]さらに、いくつかの例では、第２のＴＴＩ通信用のＤＰＳのために送信ポイントがどれほど頻繁に切り替えられ得るかに関して、制限がかけられ得る。たとえば、第１のＴＴＩ通信用の整数個のＴＴＩに対して第２のＴＴＩ通信用に（たとえば、第１のＴＴＩ通信の１ｍｓのサブフレーム内に）同じ送信ポイントが指定され得る。そのような制限は、場合によっては、第２のＴＴＩ通信または第１のＴＴＩ通信用の強化された時間追跡または周波数追跡を容易にし、そのような二重ＴＴＩ通信を実装する場合があるＵＥにおける実装の複雑度を低減する助けになり得る。他の例では、第２のＴＴＩ通信が２つ以上のシンボルにまたがるＴＴＩ（たとえば、２シンボルのＴＴＩ）を有する場合、２つの異なるシンボルが、異なるワイヤレスネットワークノードによってサービスされ得ることが可能であり、それにより、送信の周波数ダイバーシティが強化され得る。
【００８５】
[0101]上述されたように、いくつかの例では、第２のＴＴＩ通信を使用して通信するワイヤレスネットワークノードには、第１のＴＴＩ通信を使用して送信された対応するシンボルが制御情報を含むか、またはデータ送信を含むかに関して不明瞭であり得る。たとえば、いくつかのサブフレームは、制御情報を含む異なる数のシンボルを有し得、それらは、１サブフレームの第１の１つ、２つ、または３つのシンボルに含まれ得る。図５は、本開示の様々な態様による、複数のＴＴＩ継続時間を使用するＣｏＭＰ通信をサポートすることができる、制御情報またはデータを含むＯＦＤＭシンボルの例５００を示す。例５００は、第１のＴＴＩ通信（たとえば、サブフレームレベルのＴＴＩ）を使用して送信され得る１サブフレーム５０５を含み得る。本開示の様々な態様によれば、ワイヤレスネットワークノード（たとえば、図１、図２、または図４を参照して記載された基地局１０５またはＵＥ１１５）は、第１のシンボル５１０が常に制御情報を含み得、その後に制御情報またはデータを含み得る第２および第３のシンボル５１５が続くように、サブフレーム５０５を構成し得る。サブフレーム５０５の残りのシンボル５２０は、常にデータを含み得る。
【００８６】
[0102]第１のＴＴＩ通信パラメータに関連付けられた１つまたは複数のパラメータを含み得る、第２のＴＴＩ（たとえば、低レイテンシＴＴＩ）を使用する通信用のＣｏＭＰ送信方式は、第２のＴＴＩ通信が第１のＴＴＩによる制御領域と一致するか、またはデータ領域と一致するかに依存し得る。追加または代替として、第２のＴＴＩ用の物理レイヤ構造は、第２のＴＴＩの送信が第１のＴＴＩによる制御領域と一致するか、またはデータ領域と一致するかに応じて異なり得る。一例として、第２のＴＴＩの送信は、送信タイミングが第１のＴＴＩによる制御領域と一致するとき、リソース要素グループ（ＲＥＧ）または制御チャネル要素（ＣＣＥ）の構造に基づいて構築され得る。別の例では、第２のＴＴＩの送信は、送信タイミングが第１のＴＴＩによるデータ領域と一致するとき、リソースブロック構造に基づいて構築され得る。結果として、第２のＴＴＩを使用する通信は、第２のＴＴＩ通信が第１のＴＴＩによる制御領域と一致するか、またはデータ領域と一致するかに依存し得る。
上述のように、第２のＴＴＩ通信の場合、第１のシンボル５１０は常に第１のＴＴＩによる制御領域内にあるが、（システム帯域幅が＞１０ＲＢであると仮定して）第４〜最後のシンボル５２０は常に第１のＴＴＩによるデータ領域であることが知られ得る。しかしながら、動的なセル切替えをサポートするそのような例を含めて、第２および第３のシンボル５１５は不明な場合がある。いくつかの例では、第１のＴＴＩによる制御領域に常に属する第１のシンボル５１０の場合、ＣｏＭＰ通信は、少なくとも第２のＴＴＩ通信を使用する制御チャネル送信に対してディセーブルにされ得、いくつかの例では、両方が（ＣＲＳベースまたはＤＭ−ＲＳベースのいずれかの）ＰＣＩに基づく制御チャネル送信および共有チャネル送信を提供するために、共有チャネル送信に対しても同様にディセーブルにされ得る。
【００８７】
[0103]いくつかの例では、ＣｏＭＰ通信は、１つまたは複数の前のシンボル（たとえば、前のサブフレーム内のシンボル１２および１３）からの復調にＤＭ−ＲＳを使用し、所与のシンボル内または以前のシンボル内の制御チャネルを使用して示され得るＶＣＩＤおよび／またはＰＱＩを使用して、第１のシンボル５１０の間サポートされ得る。さらに他の例では、ＣｏＭＰ通信は、復調にＣＲＳを使用して、第１のシンボル５１０の間サポートされ得る。そのような例では、制御チャネル送信は、異なる復号候補に関連付けられ得る１つまたは２つのＶＣＩＤに基づき得る。したがって、ＣＲＳベースのＣｏＭＰは第１のシンボル５１０内で提供され得、ＤＭ−ＲＳベースのＣｏＭＰは１つまたは複数の他のシンボル内で提供され得る。
【００８８】
[0104]第２および第３のシンボル５１５の場合、いくつかの例では、第２および第３のシンボル５１５が制御情報を含むか、またはデータを含むかを決定するために、サブフレームのサブフレームタイプおよびフォーマットインジケータチャネルが使用され得る。たとえば、サービングノードの物理制御フォーマットインジケータチャネル（ＰＣＦＩＣＨ）およびサブフレームタイプ（たとえば、ＭＢＳＦＮ対非ＭＢＳＦＮ、ＴＤＤ内の特殊サブフレームなど）に基づいて、第２および第３のシンボル５１５のうちの１つまたは両方は、サービングノード用の第１のＴＴＩによる制御領域またはデータ領域と一致するように決定され得る。いくつかの例では、ＣｏＭＰ通信は、ＰＣＩベースの送信ならばディセーブルにされるか、またはＣＲＳベースもしくはＤＭ−ＲＳベースの送信ならばイネーブルにされ得る。他の例では、ＣｏＭＰ通信は、シンボル５１５のうちの１つもしくは両方が第１のＴＴＩによる制御領域と一致すると決定された場合ディセーブルにされ得るか、またはシンボル５１５のうちの１つもしくは両方が第１のＴＴＩによるデータ領域と一致すると決定された場合イネーブルにされ得る。
【００８９】
[0105]いくつかの例では、両方のシンボル５１５は、第１のＴＴＩによる制御領域またはデータ領域と一致するように一律に扱われ得、ＣｏＭＰ通信は、第２および第３のシンボル５１５の継続時間の間ディセーブルにされ得る。代替として、ＣｏＭＰはそのような第２および第３のシンボル５１５の間イネーブルにされ得、ＣＲＳ送信またはＤＭ−ＲＳ送信に基づき得る。いくつかの例では、第２および第３のシンボル５１５は、制御チャネルの観点から制御シンボルとして扱われ得るが、共有チャネル送信の場合、第２および第３のシンボル５１５のうちの１つまたは両方が制御シンボルか、またはデータシンボルかが示され得る。そのような例では、第２および第３のシンボル５１５が制御シンボルである場合、共有チャネルリソース割振りは、リソース要素グループ（ＲＥＧ）または制御チャネル要素（ＣＣＥ）に基づき得、第２および第３のシンボルがデータシンボルである場合、共有チャネルリソース割振りは、ＲＢに基づき得る（この場合、共有チャネル送信は、ＣＣＥベースの制御チャネル送信のまわりにレートマッチングされ得る）。いくつかの例では、第２および第３のシンボル５１５における制御送信対データ送信の決定は、シンボル５１５が第１のＴＴＩによる制御領域またはデータ領域のいずれかと一致する場合があるという仮定のもとに、シンボル５１５の間の送信のブラインド復号を介して行われ得る。いくつかの態様によれば、第２のＴＴＩ通信は、第１のＴＴＩによるデータ領域と一致すること（たとえば、ＲＢベースの送信）と比較して、第１のＴＴＩによる制御領域と一致するとき（たとえば、ＣＣＥベースの送信）、異なる設計を有し得る。結果として、そのようなオプションはより多くのブラインド復号、または復号候補の数に対する制限を有する同じブラインド復号を招く。いくつかの例では、ワイヤレスネットワークノードは、（たとえば、レガシーＰＤＣＣＨを使用して）第２および第３のシンボル５１５が制御領域シンボルを備えるか、またはデータ領域シンボルを備えるかを動的に示し得る。
【００９０】
[0106]図６は、本開示の様々な態様による、複数のＴＴＩ継続時間を使用する協調通信（coordinated communications）についてのプロセスフロー６００の一例を示す。プロセスフロー６００は、図１〜図５を参照して記載されたＵＥ１１５の態様の一例であり得る、ＵＥ１１５−ｃを含み得る。プロセスフロー６００はまた、図１〜図５を参照して記載された基地局１０５の態様の例であり得る、第１の基地局１０５−ｇと第２の基地局１０５−ｈとを含み得る。基地局１０５およびＵＥ１１５に関して記載されているが、プロセスフロー６００のステップは、複数のＴＴＩを使用する協調通信を提供することができるワイヤレスネットワークノードの任意のセットによって実行され得る。
【００９１】
[0107]ステップ６０５において、基地局１０５−ｇは、ＵＥ１１５−ｃとの第１のＴＴＩ接続を確立することができる。第１のＴＴＩ接続は、１ｍｓのサブフレームベースのＴＴＩなどの、第１のＴＴＩを有する通信を提供することができる。ブロック６１０において、第１の基地局１０５−ｇは、図１〜図５を参照して説明された様々なパラメータを含み得る、第１のＴＴＩパラメータを決定することができる。同様に、ブロック６１５において、ＵＥ１１５−ｃは、図１〜図５を参照して説明された様々なパラメータを含み得る、第１のＴＴＩパラメータを決定することができる。ステップ６２０において、第２の基地局１０５−ｈは、ＵＥ１１５−ｃとの第２のＴＴＩ接続を確立することができ、第２のＴＴＩ接続は、１シンボルベースのＴＴＩ、２シンボルのＴＴＩ、４シンボルのＴＴＩ、スロット継続時間ＴＴＩ、または場合によっては、図１〜図５を参照して上記で説明された低レイテンシＴＴＩなどの、第１のＴＴＩよりも短い継続時間を有し得る第２のＴＴＩを有する通信を提供することができる。ステップ６２５において、第２の基地局１０５−ｈは、図１〜図５を参照して説明された第２のＴＴＩパラメータを決定することができる。ステップ６３０において、ＵＥ１１５−ｃは、図１〜図５を参照して説明された第２のＴＴＩパラメータを同様に決定することができる。ステップ６３５において、第１の基地局１０５−ｇおよび第２の基地局１０５−ｈは、１つまたは複数のＣｏＭＰ送信方式を可能にするデータなどのデータを交換することができる。ブロック６４０において、ＵＥ１１５−ｃは、図１〜図５を参照して記載されたのと同様の方式で、１つまたは複数の第２のＴＴＩパラメータを対応する第１のＴＴＩパラメータと関連付けることができる。
【００９２】
[0108]ステップ６４５において、図１〜図５を参照して記載されたのと同様の方式で、ＵＥ１１５−ｃと基地局１０５のうちの１つまたは両方との間であり得る第１のＴＴＩ通信が行われ得る。いくつかの例では、そのような第１のＴＴＩ通信は、第１のＴＴＩの１つもしくは複数のパラメータ、または第２のＴＴＩの１つもしくは複数のパラメータに基づき得る。ステップ６５０において、図１〜図５を参照して記載されたのと同様の方式で、ＵＥ１１５−ｃと基地局１０５のうちの１つまたは両方との間であり得る第２のＴＴＩ通信が行われ得る。いくつかの例では、そのような第２のＴＴＩ通信は、図１〜図５を参照して記載されたのと同様の方式で、第１のＴＴＩの１つまたは複数のパラメータに基づき得る。ステップ６４５における第１のＴＴＩ通信およびステップ６５０における第２のＴＴＩ通信は、図１〜図５を参照して説明されたように、ＵＥ１１５−ｃと基地局１０５のうちの１つまたは両方との間のＣｏＭＰ通信を提供することができる。
【００９３】
[0109]図７は、本開示の様々な態様による、複数のＴＴＩ継続時間を使用する協調通信をサポートするワイヤレスデバイス７００のブロック図を示す。ワイヤレスデバイス７００は、図１〜図６を参照して記載されたＵＥ１１５または基地局１０５の態様の一例であり得る。ワイヤレスデバイス７００は、受信機７０５、ＴＴＩパラメータモジュール７１０、または送信機７１５を含み得る。ワイヤレスデバイス７００は、プロセッサを含み得る。これらの構成要素の各々は、互いと通信することができる。
【００９４】
[0110]受信機７０５は、パケット、ユーザデータ、または様々な情報チャネル（たとえば、制御チャネル、データチャネル、ＣｏＭＰベースの送信、もしくはパラメータ情報など）に関連付けられた制御情報などの情報を受信することができる。情報は、ＴＴＩパラメータモジュール７１０に、およびワイヤレスデバイス７００の他の構成要素に渡され得る。いくつかの例では、受信機７０５は、第１のＴＴＩ通信、第２のＴＴＩ通信、または両方を受信し得る。いくつかの例では、受信機７０５は、ＤＰＳのＣｏＭＰ通信、ＣＢＦのＣｏＭＰ通信、またはＪＴのＣｏＭＰ通信などの、第１のＴＴＩ通信、第２のＴＴＩ通信、または両方を受信し得る。
【００９５】
[0111]ＴＴＩパラメータモジュール７１０は、図１〜図６を参照して上記で説明されたように、第１のＴＴＩ通信用のパラメータの第１のセットを決定し、第２のＴＴＩ通信用のパラメータの第２のセットを決定することができ、パラメータの第２のセット内の第１のパラメータをパラメータの第１のセット内の対応するパラメータと関連付けることができる。他の例では、ＴＴＩパラメータモジュール７１０は、たとえば、受信機７０５と組み合わせて、第１のＴＴＩ通信を識別し、第２のＴＴＩ通信を識別し得、図１〜図６を参照して上記で説明されたのと同様の方式で、第２のＴＴＩを使用する送信の第１のＴＴＩの中の位置に基づいて、第２のＴＴＩを使用する送信のＣｏＭＰ送信方式を決定し得る。
【００９６】
[0112]送信機７１５は、ワイヤレスデバイス７００の他の構成要素から受け取った信号を送信することができる。いくつかの例では、送信機７１５は、トランシーバモジュール内で受信機７０５とコロケートされ得る。送信機７１５は単一のアンテナを含み得るか、または、それはいくつかのアンテナを含み得る。いくつかの例では、送信機７１５は、トランシーバモジュール内で受信機とコロケートされ得る。たとえば、送信機７１５は、図１０を参照して記載されるトランシーバ１０３５および／もしくはアンテナ１０４０、または図１１を参照して記載されるトランシーバ１１３５および／もしくはアンテナ１１４０の態様の一例であり得る。
【００９７】
[0113]図８は、本開示の様々な態様による、複数のＴＴＩ継続時間を使用する協調通信をサポートするワイヤレスデバイス８００のブロック図を示す。ワイヤレスデバイス８００は、図７を参照して記載されたワイヤレスデバイス７００、または図１〜図６を参照して記載されたＵＥ１１５もしくは基地局１０５の態様の一例であり得る。ワイヤレスデバイス８００は、受信機７０５−ａ、ＴＴＩパラメータモジュール７１０−ａ、または送信機７１５−ａを含み得る。ワイヤレスデバイス８００は、プロセッサを含み得る。これらの構成要素の各々は、互いと通信し得る。ＴＴＩパラメータモジュール７１０−ａは、ＴＴＩ識別モジュール８０５と、パラメータ決定モジュール８１０と、パラメータ関連付けモジュール８１５とを含み得る。
【００９８】
[0114]受信機７０５−ａは、図７を参照して記載された受信機７０５の態様の一例であり得、ＴＴＩパラメータモジュール７１０−ａに、およびワイヤレスデバイス８００の他の構成要素に渡され得る情報を受信することができる。ＴＴＩパラメータモジュール７１０−ａは、図７を参照して上述された動作を実行することができる。送信機７１５−ａは、図７を参照して記載された送信機７１５の態様の一例であり得、ワイヤレスデバイス８００の他の構成要素から受け取った信号を送信することができる。
【００９９】
[0115]ＴＴＩ識別モジュール８０５は、図１〜図６を参照して上述されたように、低レイテンシシンボルレベルのＴＴＩまたはサブフレームレベルのＴＴＩなどの、通信に使用されるべきＴＴＩを識別することができる。パラメータ決定モジュール８１０は、１つまたは複数の異なるＴＴＩを使用する通信に関連付けられた１つまたは複数のパラメータを決定することができる。たとえば、パラメータ決定モジュール８１０は、図１〜図６を参照して上述されたように、第１のＴＴＩを使用する通信用のパラメータの第１のセットを決定することができ、第２のＴＴＩを使用する通信用のパラメータの第２のセットを決定することができ、第２のＴＴＩは第１のＴＴＩよりも短い継続時間を有する。いくつかの例では、パラメータ決定モジュール８１０は、図１〜図６を参照して上述されたように、２つ以上の異なるＴＴＩを使用する通信に関連付けられたＣＳＩベースのパラメータ、ＶＣＩＤパラメータ、またはＰＱＩパラメータのうちの１つまたは複数を決定し得る。パラメータ関連付けモジュール８１５は、図１〜図６を参照して上述されたのと同様の方式で、第２のＴＴＩ通信のパラメータを第１のＴＴＩ通信の対応するパラメータと関連付けることができる。たとえば、パラメータ関連付けモジュール８１５は、第２のＴＴＩ通信の時間追跡パラメータもしくは周波数追跡パラメータのうちの少なくとも１つまたは両方を、第１のＴＴＩ通信の対応するパラメータと関連付けることができる。そのようなパラメータは、たとえば、遅延拡散、受信電力、周波数シフト、ドップラー拡散、もしくは受信タイミング、またはそれらの任意の組合せを含み得る。
【０１００】
[0116]図９は、本開示の様々な態様による、複数のＴＴＩ継続時間を使用する協調通信をサポートするＴＴＩパラメータモジュール７１０−ｂのブロック図９００を示す。ＴＴＩパラメータモジュール７１０−ｂは、図７または図８を参照して記載されたワイヤレスデバイス７００または８００などのワイヤレスデバイスの構成要素であり得る。ＴＴＩパラメータモジュール７１０−ｂは、図７または図８を参照して記載されたＴＴＩパラメータモジュール７１０の態様の一例であり得る。ＴＴＩパラメータモジュール７１０−ｂは、ＴＴＩ識別モジュール８０５−ａと、パラメータ決定モジュール８１０−ａと、パラメータ関連付けモジュール８１５−ａとを含み得る。これらのモジュールの各々は、図８を参照して上述されたそれぞれのモジュールの態様の例であり得る。ＴＴＩパラメータモジュール７１０−ｂは、ＣｏＭＰ送信方式モジュール９０５、時間／周波数追跡モジュール９１０、ＣＲＳモジュール９１５、ＤＭ−ＲＳモジュール９２０、ＣＳＩモジュール９２５、ＶＣＩＤモジュール９３０、ＰＱＩモジュール９３５、または制御／データ領域決定モジュール９４０を含み得る。ＴＴＩパラメータモジュール７１０−ｂの様々なモジュールは、互いと通信し得る。
【０１０１】
[0117]ＣｏＭＰ送信方式モジュール９０５は、図１〜図６を参照して上記で説明されたのと同様に、動的ポイント選択（ＤＰＳ）ＣｏＭＰ通信、協調ビームフォーミング（ＣＢＦ）ＣｏＭＰ通信、またはジョイント送信（ＪＴ）ＣｏＭＰ通信などの、ワイヤレスデバイス７００または８００との間のＣｏＭＰ通信の送信または受信を管理することができる。いくつかの例では、ＣｏＭＰ送信方式モジュール９０５は、図１〜図６を参照して上記で説明されたのと同様に、ノードの第１のＣｏＭＰ協働セット内の第１の複数のノードと、ノードの第２のＣｏＭＰ協働セット内の第２の複数のノードとを識別することと、ここにおいて、ノードの第１のＣｏＭＰ協働セットが第１のＴＴＩを使用して通信することができ、ノードの第２のＣｏＭＰ協働セットが第２のＴＴＩを使用して通信することができる、識別されたノードのＣｏＭＰ協働セットでＣｏＭＰ通信を管理することとを行い得る。いくつかの例では、ＣｏＭＰ送信方式モジュール９０５は、図１〜図６を参照して上記で説明されたのと同様に、第２のＴＴＩを使用する送信が第１のＴＴＩの制御領域と一致するときＣｏＭＰ送信方式をディセーブルにし得、第２のＴＴＩを使用する送信が第１のＴＴＩ通信のデータ領域と一致するときＣｏＭＰ送信方式をイネーブルにし得る。さらなる例では、ＣｏＭＰ送信方式モジュール９０５は、図１〜図６を参照して上記で説明されたのと同様に、第２のＴＴＩを使用する送信が第１のＴＴＩによる制御領域と一致するとき共通基準信号（ＣＲＳ）に基づいて、ＣｏＭＰ送信方式をイネーブルにし、第２のＴＴＩを使用する送信が第１のＴＴＩによるデータ領域と一致するとき復調基準信号（ＤＭ−ＲＳ）に基づいて、ＣｏＭＰ送信方式をイネーブルにし得る。様々な例では、ＣｏＭＰ送信方式モジュール９０５の動作は、送信機または受信機と協調して実行され得る。たとえば、図７または図８を参照して記載された送信機７１５または受信機７０５、図１０を参照して記載されるトランシーバ１０３５およびアンテナ１０４０、図１１を参照して記載されるトランシーバ１１３５およびアンテナ１１４０は、ＣｏＭＰ送信方式モジュール９０５と組み合わせて、本明細書に記載された動作を実行するために使用され得る。
【０１０２】
[0118]時間／周波数追跡モジュール９１０は、図１〜図６を参照して上記で説明されたのと同様に、第１のＴＴＩ通信または第２のＴＴＩ通信において使用するための、ノードの時間追跡パラメータもしくはノードの周波数追跡パラメータの少なくとも１つまたは両方を決定することができる。そのような時間追跡パラメータまたは周波数追跡パラメータは、たとえば、遅延拡散、受信電力、周波数シフト、ドップラー拡散、もしくは受信タイミング、またはそれらの任意の組合せを含み得る。
【０１０３】
[0119]ＣＲＳモジュール９１５は、図１〜図６を参照して上記で説明されたのと同様に、ＣＲＳベースの通信を構成または受信することができる。ＤＭ−ＲＳモジュール９２０は、図１〜図６を参照して上記で説明されたのと同様に、ＤＭ−ＲＳベースの通信を構成または受信することができる。ＣＳＩモジュール９２５は、図１〜図６を参照して上記で説明されたのと同様に、第１のＴＴＩ通信および／または第２のＴＴＩ通信に関連付けられた１つまたは複数のＣＳＩプロセスを管理することができる。いくつかの例では、ＣＳＩモジュール９２５は、周期的または非周期的に、２つ以上のＣＳＩプロセスをトリガするか、または２つ以上のＣＳＩプロセスを開始するトリガを受信し得る。いくつかの例では、第２のＴＴＩ通信についてのＣＳＩプロセス用のパラメータは、第１のＴＴＩを使用する通信用の対応するＣＳＩプロセスに関連付けられ、ＣＳＩプロセス間のそのような関連付けは、あらかじめ定義されるか、またはＲＲＣシグナリングを介してシグナリングされ得る。第２のＴＴＩについてのＣＳＩプロセス用のパラメータは、たとえば、ＲＩ、ＰＭＩ、もしくはＰＴＩのうちの少なくとも１つ、またはそれらの任意の組合せを含み得る。いくつかの例では、第２のＴＴＩについてのＣＳＩプロセス用のパラメータのＲＩ、ＰＭＩ、またはＰＴＩは、第１のＴＴＩを使用する通信に使用された対応するパラメータと同じであるように事前構成され得る、信号は、ＲＲＣシグナリングを介してＲＩ、ＰＭＩ、またはＰＴＩの関連付けを解除するように送信され得る。いくつかの例では、図１〜図６を参照して上記で説明されたのと同様に、第２のＴＴＩを使用する通信用のＣＳＩプロセスの数は、第１のＴＴＩを使用する通信用のＣＳＩプロセスの数よりも少ないかまたはそれに等しい。
【０１０４】
[0120]様々な例では、ＣＲＳモジュール９１５、ＤＭ−ＲＳモジュール９２０、またはＣＳＩモジュール９２５の動作は、送信機または受信機と協調して実行され得る。たとえば、図７または図８を参照して記載された送信機７１５または受信機７０５、図１０を参照して記載されるトランシーバ１０３５およびアンテナ１０４０、図１１を参照して記載されるトランシーバ１１３５およびアンテナ１１４０は、ＣＲＳモジュール９１５、ＤＭ−ＲＳモジュール９２０、またはＣＳＩモジュール９２５と組み合わせて、本明細書に記載された動作を実行するために使用され得る。
【０１０５】
[0121]ＶＣＩＤモジュール９３０は、図１〜図６を参照して上記で説明されたのと同様の方式で、ワイヤレスデバイス７００または８００のＶＣＩＤ構成を管理することができる。いくつかの例では、第２のＴＴＩを使用する通信用のＶＣＩＤ構成は、第１のＴＴＩを使用する通信用と同じＶＣＩＤ構成であるように設定されるか、または第１のＴＴＩを使用する通信用のＶＣＩＤ構成とは異なり得る。第１のＴＴＩを使用する通信用のＶＣＩＤ構成が第２のＴＴＯを使用する通信用のＶＣＩＤ構成とは異なる場合、第２のＴＴＩを使用する通信用のＶＣＩＤ構成は、第１のＴＴＩを使用する通信用のＶＣＩＤ構成に関連付けられ得る。いくつかの例では、第２のＴＴＩを使用する通信用に構成されたＶＣＩＤの数は、第１のＴＴＩを使用する通信用に構成されたＶＣＩＤの数よりも少ないかまたはそれに等しい。いくつかの例では、図１〜図６を参照して上記で説明されたのと同様に、データ通信の場合、第２のＴＴＩまたは第１のＴＴＩを使用するＶＣＩＤは、制御チャネル内のシグナリングによって決定され、制御チャネル通信の場合、ＶＣＩＤは、制御チャネル通信の復号候補に基づいて決定され得る。
【０１０６】
[0122]ＰＱＩモジュール９３５は、図１〜図６を参照して上記で説明されたのと同様の方式で、ワイヤレスデバイス７００または８００のＰＱＩ構成を管理することができる。いくつかの例では、第２のＴＴＩを使用する通信用のＰＱＩ構成は、第１のＴＴＩを使用する通信用と同じＰＱＩ構成であるように設定され得る。ＰＱＩモジュール９３５は、いくつかの例では、第２のＴＴＩを使用する通信用のＰＱＩ構成を、第１のＴＴＩを使用する通信用のＰＱＩ構成とは異なるように設定し得る。いくつかの例では、第２のＴＴＩを使用する通信用のＰＱＩ構成の数は、第１のＴＴＩを使用する通信用のＰＱＩ構成の数よりも少ないかまたはそれに等しい。いくつかの例では、図１〜図６を参照して上記で説明されたのと同様に、データ通信の場合、第２のＴＴＩまたは第１のＴＴＩを使用するＰＱＩ構成は、制御チャネル内のシグナリングによって決定され得、制御チャネル通信の場合、ＰＱＩ構成は、復号候補に基づいて決定され得る。
【０１０７】
[0123]制御／データ領域決定モジュール９４０は、図１〜図６を参照して上記で説明されたのと同様の方式で、第１のＴＴＩ通信のシンボルが制御領域シンボルか、またはデータシンボルかの決定を管理することができる。いくつかの例では、制御／データ領域決定モジュール９４０は、第１のＴＴＩに対する第２のＴＴＩを使用する送信のタイミングに基づいて、第２のＴＴＩを使用する送信のＣｏＭＰ送信方式を決定し得る。いくつかの例では、ＯＦＤＭシンボルが制御領域ＯＦＤＭシンボルを備えるか、またはデータ領域ＯＦＤＭシンボルを備えるかを決定するために、第１のＴＴＩによる制御領域内のＯＦＤＭシンボルの量は可変であり、制御／データ領域決定モジュール９４０は、図１〜図６を参照して上記で説明されたのと同様に、１つまたは複数のシンボルをブラインド復号し得る。いくつかの例では、図１〜図６を参照して上記で説明されたのと同様に、第１のＴＴＩの中の制御領域のＯＦＤＭシンボルの数は、第２のＴＴＩを使用して送信されるサブフレームのチャネルフォーマットインジケータおよびタイプに少なくとも部分的に基づいて決定され得る。他の例では、第１のＴＴＩを使用して送信されるＯＦＤＭシンボルのサブセットは、サブセット内の各シンボルが制御情報を備えるか、またはデータを備えるかにかかわらず、第１のＴＴＩの中の制御領域シンボルであるように構成され得る。またさらなる例では、制御／データ領域決定モジュール９４０は、図１〜図６を参照して上記で説明されたのと同様に、制御領域のＯＦＤＭシンボルの数を示すシグナリングを提供し得る。
【０１０８】
[0124]ワイヤレスデバイス７００、ワイヤレスデバイス８００、またはＴＴＩパラメータモジュール７１０−ｂの構成要素は、各々、適用可能な機能の一部または全部をハードウェア内で実行するように適応された少なくとも１つの特定用途向け集積回路（ＡＳＩＣ）を用いて、個別にまたは一括して実装され得る。代替として、それらの機能は、少なくとも１つの集積回路（ＩＣ）上で、１つまたは複数の他の処理ユニット（またはコア）によって実行され得る。他の例では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリ内に組み込まれた命令を用いて実装され得る。
【０１０９】
[0125]図１０は、本開示の様々な態様による、複数のＴＴＩ継続時間を使用する協調通信をサポートするＵＥを含むシステム１０００の図を示す。システム１０００は、図１〜図９を参照して上述されたＵＥ１１５、ワイヤレスデバイス７００、またはワイヤレスデバイス８００の一例であり得る、ＵＥ１１５−ｄを含み得る。ＵＥ１１５−ｄは、図７〜図１０を参照して記載されたＴＴＩパラメータモジュール７１０の一例であり得る、ＴＴＩパラメータモジュール１０１０を含み得る。いくつかの例では、ＵＥ１１５−ｄは、ＴＴＩパラメータモジュール１０１０によって管理されるＴＴＩパラメータ関連態様に加えて、ＵＥ１１５−ｄ向けの低レイテンシ通信の態様を管理することができる、低レイテンシモジュール１０２５を含み得る。いくつかの例では、ＴＴＩパラメータモジュール１０１０および低レイテンシモジュール１０２５は、同じモジュール内でコロケートされ得る。ＵＥ１１５−ｄは、通信を送信するための構成要素と通信を受信するための構成要素とを含む、双方向音声およびデータ通信用の構成要素を含み得る。たとえば、ＵＥ１１５−ｄは、図１〜図６を参照して上記で説明されたのと同様に、１つまたは複数のＣｏＭＰ送信方式を使用してＵＥ１１５−ｄと通信することができる、基地局１０５−ｉおよび／または１０５−ｊと双方向に通信することができる。
【０１１０】
[0126]ＵＥ１１５−ｄは、プロセッサ１００５と、（ソフトウェア／ファームウェアコード１０２０を含む）メモリ１０１５と、トランシーバ１０３５と、１つまたは複数のアンテナ１０４０とを含み得、それらの各々は、（たとえば、バス１０４５を介して）互いと直接的または間接的に通信することができる。トランシーバ１０３５は、上述されたように、アンテナ１０４０または有線リンクもしくはワイヤレスリンクを介して、１つまたは複数のネットワークと双方向に通信することができる。たとえば、トランシーバ１０３５は、基地局１０５または別のＵＥ１１５と双方向に通信することができる。トランシーバ１０３５は、パケットを変調し、変調パケットを送信用にアンテナ１０４０に供給し、アンテナ１０４０から受信されたパケットを復調するためにモデムを含み得る。ＵＥ１１５−ｄは、単一のアンテナ１０４０を含み得るが、ＵＥ１１５−ｄは、複数のワイヤレス送信を同時に送信または受信することが可能な複数のアンテナ１０４０を有し得る。
【０１１１】
[0127]メモリ１０１５は、ランダムアクセスメモリ（ＲＡＭ）と読取り専用メモリ（ＲＯＭ）とを含み得る。メモリ１０１５は、実行されると、本明細書に記載された様々な機能（たとえば、低レイテンシ通信、様々なＴＴＩ通信用のＴＴＩパラメータの決定および関連付けなど）をプロセッサ１００５に実行させる命令を含む、コンピュータ可読、コンピュータ実行可能ソフトウェア／ファームウェアコード１０２０を記憶し得る。代替として、ソフトウェア／ファームウェアコード１０２０は、プロセッサ１００５によって直接実行可能ではないが、（たとえば、コンパイルされ実行されると）本明細書に記載された機能をコンピュータに実行させることができる。プロセッサ１００５は、インテリジェントハードウェアデバイス（たとえば、中央処理装置（ＣＰＵ）、マイクロコントローラ、ＡＳＩＣなど）を含み得る。
【０１１２】
[0128]図１１は、本開示の様々な態様による、複数のＴＴＩ継続時間を使用する協調通信をサポートする基地局１０５−ｋを含むシステム１１００の図を示す。システム１１００は、図１〜図９を参照して上述された基地局１０５、ワイヤレスデバイス７００、またはワイヤレスデバイス８００の一例であり得る、基地局１０５−ｋを含み得る。基地局１０５−ｋは、図７〜図９を参照して記載されたＴＴＩパラメータモジュール７１０の一例であり得る、基地局ＴＴＩパラメータモジュール１１１０を含み得る。基地局１０５−ｋは、通信を送信するための構成要素と通信を受信するための構成要素とを含む、双方向音声およびデータ通信用の構成要素を含み得る。たとえば、基地局１０５−ｋは、ＵＥ１１５−ｅまたはＵＥ１１５−ｆと双方向に通信することができる。
【０１１３】
[0129]場合によっては、基地局１０５−ｋは、１つまたは複数の有線バックホールリンクを有し得る。基地局１０５−ｋは、コアネットワーク１３０への有線バックホールリンク（たとえば、Ｓ１インターフェースなど）を有し得る。基地局１０５−ｋは、基地局間バックホールリンク（たとえば、Ｘ２インターフェース）を介して、基地局１０５−ｌおよび基地局１０５−ｍなどの他の基地局１０５と通信することもできる。基地局１０５の各々は、同じかまたは異なるワイヤレス通信技術を使用して、ＵＥ１１５と通信することができる。いくつかの例では、基地局１０５−ｋ、１０５−ｌ、および１０５−ｍは、図１〜図９の説明により、１つまたは複数のＵＥ１１５と通信するためのＣｏＭＰ協働セットを形成し得る。場合によっては、基地局１０５−ｋは、基地局通信モジュール１１２５を利用して、１０５−ｌまたは１０５−ｍなどの他の基地局と通信することができる。いくつかの例では、基地局通信モジュール１１２５は、基地局１０５のうちのいくつかの間の通信を提供するために、ＬＴＥ／ＬＴＥ−Ａワイヤレス通信ネットワーク技術内のＸ２インターフェースを提供し得る。いくつかの例では、基地局１０５−ｋは、コアネットワーク１３０を介して他の基地局と通信し得る。場合によっては、基地局１０５−ｋは、ネットワーク通信モジュール１１３０を介してコアネットワーク１３０と通信することができる。
【０１１４】
[0130]基地局１０５−ｋは、プロセッサ１１０５と、（ソフトウェア／ファームウェアコード１１２０を含む）メモリ１１１５と、トランシーバ１１３５と、アンテナ１１４０とを含み得、それらの各々は、（たとえば、バスシステム１１４５を介して）直接的または間接的に、互いと通信し得る。トランシーバ１１３５は、アンテナ１１４０を介して、マルチモードデバイスであり得るＵＥ１１５と双方向に通信するように構成され得る。トランシーバ１１３５（または基地局１０５−ｋの他の構成要素）は、アンテナ１１４０を介して、１つまたは複数の他の基地局（図示せず）と双方向に通信するように構成され得る。トランシーバ１１３５は、パケットを変調し、変調パケットを送信用にアンテナ１１４０に供給し、アンテナ１１４０から受信されたパケットを復調するように構成されたモデムを含み得る。基地局１０５−ｋは、各々が１つまたは複数の関連するアンテナ１１４０を有する、複数のトランシーバ１１３５を含み得る。トランシーバ１１３５は、図７の組み合わされた受信機７０５および送信機７１５の一例であり得る。
【０１１５】
[0131]メモリ１１１５は、ＲＡＭとＲＯＭとを含み得る。メモリ１１１５はまた、実行されると、本明細書に記載された様々な機能（たとえば、低レイテンシ通信、様々なＴＴＩによる通信など）をプロセッサ１１０５に実行させるように構成された命令を含んでいるコンピュータ可読、コンピュータ実行可能ソフトウェア／ファームウェアコード１１２０を記憶し得る。代替として、ソフトウェアコード１１２０は、プロセッサ１１０５によって直接実行可能ではないが、たとえば、コンパイルされ実行されると、本明細書に記載された機能をコンピュータに実行させるように構成され得る。プロセッサ１１０５は、インテリジェントハードウェアデバイス、たとえば、ＣＰＵ、マイクロコントローラ、ＡＳＩＣなどを含み得る。プロセッサ１１０５は、エンコーダ、キュー処理モジュール、ベースバンドプロセッサ、無線ヘッドコントローラ、デジタル信号プロセッサ（ＤＳＰ）などの、様々な専用プロセッサを含み得る。
【０１１６】
[0132]基地局通信モジュール１１２５は、他の基地局１０５との通信を管理することができる。通信管理モジュールは、他の基地局１０５と協働してＵＥ１１５との通信を制御するためのコントローラまたはスケジューラを含み得る。たとえば、基地局通信モジュール１１２５は、ＪＴ、ＣＢＦ、またはＤＰＳなどの様々なＣｏＭＰ技法のためのＵＥ１１５への送信についてのスケジューリングを調整することができる。
【０１１７】
[0133]図１２は、本開示の様々な態様による、複数のＴＴＩ継続時間を使用する協調通信のための方法１２００を示すフローチャートを示す。方法１２００の動作は、図１〜図１１を参照して記載されたように、各々がワイヤレスデバイス７００またはワイヤレスデバイス８００を含み得る、ＵＥ１１５またはその構成要素と、基地局１０５またはその構成要素とを含む、ワイヤレスデバイスによって実装され得る。たとえば、方法１２００の動作は、図７〜図９を参照して記載されたＴＴＩパラメータモジュール７１０によって実行され得る。いくつかの例では、ワイヤレスデバイスは、下記に記載される機能を実行するように機能要素を制御するために、コードのセットを実行し得る。追加または代替として、ワイヤレスデバイスは、専用ハードウェアを使用して、下記に記載される機能の態様を実施することができる。
【０１１８】
[0134]ブロック１２０５において、ワイヤレスデバイスは、図１〜図１１を参照して上述されたように、第１の送信時間間隔（ＴＴＩ）を使用する通信用のパラメータの第１のセットを決定することができる。いくつかの例では、ブロック１２０５の動作は、図８〜図９を参照して上述されたパラメータ決定モジュール８１０、図１０のＴＴＩパラメータモジュール１０１０、または図１１の基地局ＴＴＩパラメータモジュール１１１０によって実行され得る。
【０１１９】
[0135]ブロック１２１０において、ワイヤレスデバイスは、図１〜図１１を参照して上述されたように、第２のＴＴＩを使用する通信用のパラメータの第２のセットを決定することができ、第２のＴＴＩは第１のＴＴＩよりも短い継続時間を有する。いくつかの例では、ブロック１２１０の動作は、図８〜図９を参照して上述されたパラメータ決定モジュール８１０、図１０のＴＴＩパラメータモジュール１０１０、または図１１の基地局ＴＴＩパラメータモジュール１１１０によって実行され得る。
【０１２０】
[0136]ブロック１２１５において、ワイヤレスデバイスは、図１〜図１１を参照して上述されたように、パラメータの第２のセット内の第１のパラメータをパラメータの第１のセット内の対応するパラメータと関連付けることができる。いくつかの例では、ブロック１２１５の動作は、図７〜図９の送信機７１５およびＴＴＩパラメータモジュール７１０によって実行されるか、または、図８〜図９を参照して上述されたパラメータ関連付けモジュール８１５、図１０のＴＴＩパラメータモジュール１０１０、もしくは図１１の基地局ＴＴＩパラメータモジュール１１１０によって実行され得る。
【０１２１】
[0137]ブロック１２２０において、ワイヤレスデバイスは、図１〜図１１を参照して上述されたように、第１のＴＴＩまたは第２のＴＴＩのうちの少なくとも１つと第１のパラメータとを使用して通信を実行することができる。いくつかの例では、ブロック１２２０の動作は、図７〜図９の受信機７０５もしくは送信機７１５およびＴＴＩパラメータモジュール７１０、トランシーバ１０３５およびアンテナ１１４０と連携する図１０のＴＴＩパラメータモジュール１０１０、またはトランシーバ１１３５およびアンテナ１１４０と連携する図１１の基地局ＴＴＩパラメータモジュール１１１０によって実行され得る。
【０１２２】
[0138]図１３は、本開示の様々な態様による、複数のＴＴＩ継続時間を使用する協調通信のための方法１３００を示すフローチャートを示す。方法１３００の動作は、図１〜図１１を参照して記載されたように、各々がワイヤレスデバイス７００またはワイヤレスデバイス８００を含む場合がある、ＵＥ１１５またはその構成要素と、基地局１０５またはその構成要素とを含む、ワイヤレスデバイスによって実行され得る。たとえば、方法１３００の動作は、図７〜図９を参照して記載されたＴＴＩパラメータモジュール７１０によって実行され得る。いくつかの例では、ワイヤレスデバイスは、下記に記載される機能を実行するように機能要素を制御するために、コードのセットを実行し得る。追加または代替として、ワイヤレスデバイスは、専用ハードウェアを使用して、下記に記載される機能の態様を実行することができる。
【０１２３】
[0139]ブロック１３０５において、ワイヤレスデバイスは、図１〜図１１を参照して上述されたように、第１の送信時間間隔（ＴＴＩ）を使用する通信用のパラメータの第１のセットを決定することができる。いくつかの例では、ブロック１３０５の動作は、図８〜図９を参照して上述されたパラメータ決定モジュール８１０、図１０のＴＴＩパラメータモジュール１０１０、または図１１の基地局ＴＴＩパラメータモジュール１１１０によって実行され得る。
【０１２４】
[0140]ブロック１３１０において、ワイヤレスデバイスは、図１〜図１１を参照して上述されたように、第２のＴＴＩを使用する通信用のパラメータの第２のセットを決定することができ、第２のＴＴＩは第１のＴＴＩよりも短い継続時間を有する。いくつかの例では、ブロック１３１０の動作は、図８〜図９を参照して上述されたパラメータ決定モジュール８１０、図１０のＴＴＩパラメータモジュール１０１０、または図１１の基地局ＴＴＩパラメータモジュール１１１０によって実行され得る。
【０１２５】
[0141]ブロック１３１５において、ワイヤレスデバイスは、図１〜図１１を参照して上述されたように、パラメータの第２のセット内の第１のパラメータをパラメータの第１のセット内の対応するパラメータと関連付けることができる。いくつかの例では、ブロック１３１５の動作は、図８〜図１０の送信機７１５およびパラメータ決定モジュール８１０によって実行されるか、または、図８〜図９を参照して上述されたパラメータ関連付けモジュール８１５、図１０のＴＴＩパラメータモジュール１０１０、もしくは図１１の基地局ＴＴＩパラメータモジュール１１１０によって実行され得る。
【０１２６】
[0142]ブロック１３２０において、ワイヤレスデバイスは、図１〜図１１を参照して上述されたように、第１のＴＴＩを使用して第１のセルとの通信を実行することができる。いくつかの例では、ブロック１３２０の動作は、図７〜図９の受信機７０５もしくは送信機７１５およびＴＴＩパラメータモジュール７１０、トランシーバ１０３５およびアンテナ１１４０と連携する図１０のＴＴＩパラメータモジュール１０１０、またはトランシーバ１１３５およびアンテナ１１４０と連携する図１１の基地局ＴＴＩパラメータモジュール１１１０によって実行され得る。
【０１２７】
[0143]ブロック１３２５において、ワイヤレスデバイスは、図１〜図１１を参照して上述されたように、第２のＴＴＩを使用して第２のセルとの通信を実行することができ、第２のセルは第１のセルとは異なる。いくつかの例では、ブロック１３２５の動作は、図７〜図９の受信機７０５もしくは送信機７１５およびＴＴＩパラメータモジュール７１０、トランシーバ１０３５およびアンテナ１１４０と連携する図１０のＴＴＩパラメータモジュール１０１０、またはトランシーバ１１３５およびアンテナ１１４０と連携する図１１の基地局ＴＴＩパラメータモジュール１１１０によって実行され得る。
【０１２８】
[0144]図１４は、本開示の様々な態様による、複数のＴＴＩ継続時間を使用する協調通信のための方法１４００を示すフローチャートを示す。方法１４００の動作は、図１〜図１１を参照して記載されたように、各々がワイヤレスデバイス７００またはワイヤレスデバイス８００を含み得る、基地局１０５またはその構成要素を含むワイヤレスデバイスによって実行され得る。たとえば、方法１４００の動作は、図７〜図９を参照して記載されたＴＴＩパラメータモジュール７１０によって実行され得る。いくつかの例では、ワイヤレスデバイスは、下記に記載される機能を実行するように機能要素を制御するために、コードのセットを実行し得る。追加または代替として、ワイヤレスデバイスは、専用ハードウェアを使用して、下記に記載される機能の態様を実行することができる。
【０１２９】
[0145]ブロック１４０５において、ワイヤレスデバイスは、図１〜図１１を参照して上述されたように、第１の送信時間間隔（ＴＴＩ）を使用する通信用のパラメータの第１のセットを決定することができる。いくつかの例では、ブロック１４０５の動作は、図８〜図９を参照して上述されたパラメータ決定モジュール８１０、または図１１の基地局ＴＴＩパラメータモジュール１１１０によって実行され得る。
【０１３０】
[0146]ブロック１４１０において、ワイヤレスデバイスは、図１〜図１１を参照して上述されたように、第２のＴＴＩを使用する通信用のパラメータの第２のセットを決定することができ、第２のＴＴＩは第１のＴＴＩよりも短い継続時間を有する。いくつかの例では、ブロック１４１０の動作は、図８〜図９を参照して上述されたパラメータ決定モジュール８１０、または図１１の基地局ＴＴＩパラメータモジュール１１１０によって実行され得る。
【０１３１】
[0147]ブロック１４１５において、ワイヤレスデバイスは、図１〜図１１を参照して上述されたように、パラメータの第２のセット内の第１のパラメータをパラメータの第１のセット内の対応するパラメータと関連付けることができる。いくつかの例では、ブロック１４１５の動作は、図８〜図１０の送信機７１５およびパラメータ決定モジュール８１０によって実行されるか、または、図８〜図９を参照して上述されたパラメータ関連付けモジュール８１５、もしくは図１１の基地局ＴＴＩパラメータモジュール１１１０によって実行され得る。
【０１３２】
[0148]ブロック１４２０において、ワイヤレスデバイスは、図１〜図１１を参照して上述されたように、第１のＣｏＭＰ協働セット内のノードと第２のＣｏＭＰ協働セット内のノードとを識別することができ、第１のＣｏＭＰ協働セットは第１のＴＴＩを使用して通信し、第２のＣｏＭＰ協働セットは第２のＴＴＩを使用する。いくつかの例では、ブロック１４２０の動作は、図９のＣｏＭＰ送信方式モジュール９０５、または図１１の基地局ＴＴＩパラメータモジュール１１１０によって実行され得る。
【０１３３】
[0149]ブロック１４２５において、ワイヤレスデバイスは、図１〜図１１を参照して上述されたように、第１のＣｏＭＰ協働セットまたは第２のＣｏＭＰ協働セットのうちの１つまたは複数を使用して、ＵＥとの通信を実行することができる。いくつかの例では、ブロック１４２５の動作は、図７〜図９の受信機７０５もしくは送信機７１５およびＴＴＩパラメータモジュール７１０、またはトランシーバ１１３５およびアンテナ１１４０と連携する図１１の基地局ＴＴＩパラメータモジュール１１１０によって実行され得る。
【０１３４】
[0150]図１５は、本開示の様々な態様による、複数のＴＴＩ継続時間を使用する協調通信のための方法１５００を示すフローチャートを示す。方法１５００の動作は、図１〜図１１を参照して記載されたように、各々がワイヤレスデバイス７００またはワイヤレスデバイス８００を含み得る、ＵＥ１１５またはその構成要素と、基地局１０５またはその構成要素とを含む、ワイヤレスデバイスによって実行され得る。たとえば、方法１５００の動作は、図７〜図９を参照して記載されたＴＴＩパラメータモジュール７１０によって実行され得る。いくつかの例では、ワイヤレスデバイスは、下記に記載される機能を実行するように機能要素を制御するために、コードのセットを実行し得る。追加または代替として、ワイヤレスデバイスは、専用ハードウェアを使用して、下記に記載される機能の態様を実行することができる。
【０１３５】
[0151]ブロック１５０５において、ワイヤレスデバイスは、図１〜図１１を参照して上述されたように、通信用の第１の送信時間間隔（ＴＴＩ）を識別することができる。いくつかの例では、ブロック１５０５の動作は、図８〜図９を参照して上述されたＴＴＩ識別モジュール８０５、図１０のＴＴＩパラメータモジュール１０１０、または図１１の基地局ＴＴＩパラメータモジュール１１１０によって実行され得る。
【０１３６】
[0152]ブロック１５１０において、ワイヤレスデバイスは、図１〜図１１を参照して上述されたように、通信用の第２のＴＴＩを識別することができ、第２のＴＴＩは第１のＴＴＩよりも短い継続時間を有する。いくつかの例では、ブロック１５１０の動作は、図８〜図９を参照して上述されたＴＴＩ識別モジュール８０５、図１０のＴＴＩパラメータモジュール１０１０、または図１１の基地局ＴＴＩパラメータモジュール１１１０によって実行され得る。
【０１３７】
[0153]ブロック１５１５において、ワイヤレスデバイスは、図１〜図１１を参照して上述されたように、第１のＴＴＩに対する第２のＴＴＩのタイミングに基づいて、第２のＴＴＩを使用するＣｏＭＰ送信方式を決定することができる。いくつかの例では、ブロック１５１５の動作は、図９を参照して上述された制御／データ領域決定モジュール９４０、図１０のＴＴＩパラメータモジュール１０１０、または図１１の基地局ＴＴＩパラメータモジュール１１１０によって実行され得る。
【０１３８】
[0154]図１６は、本開示の様々な態様による、複数のＴＴＩ継続時間を使用する協調通信のための方法１６００を示すフローチャートを示す。方法１６００の動作は、図１〜図１１を参照して記載されたように、各々がワイヤレスデバイス７００またはワイヤレスデバイス８００を含み得る、ＵＥ１１５またはその構成要素と、基地局１０５またはその構成要素とを含む、ワイヤレスデバイスによって実装され得る。たとえば、方法１６００の動作は、図７〜図９を参照して記載されたＴＴＩパラメータモジュール７１０によって実行され得る。いくつかの例では、ワイヤレスデバイスは、下記に記載される機能を実行するように機能要素を制御するために、コードのセットを実行し得る。追加または代替として、ワイヤレスデバイスは、専用ハードウェアを使用して、下記に記載される機能の態様を実行することができる。
【０１３９】
[0155]ブロック１６０５において、ワイヤレスデバイスは、図１〜図１１を参照して上述されたように、通信用の第１の送信時間間隔（ＴＴＩ）を識別することができる。いくつかの例では、ブロック１６０５の動作は、図８〜図９を参照して上述されたＴＴＩ識別モジュール８０５、図１０のＴＴＩパラメータモジュール１０１０、または図１１の基地局ＴＴＩパラメータモジュール１１１０によって実行され得る。
【０１４０】
[0156]ブロック１６１０において、ワイヤレスデバイスは、図１〜図１１を参照して上述されたように、通信用の第２のＴＴＩを識別することができ、第２のＴＴＩは第１のＴＴＩよりも短い継続時間を有する。いくつかの例では、ブロック１６１０の動作は、図８〜図９を参照して上述されたＴＴＩ識別モジュール８０５、図１０のＴＴＩパラメータモジュール１０１０、または図１１の基地局ＴＴＩパラメータモジュール１１１０によって実行され得る。
【０１４１】
[0157]ブロック１６１５において、ワイヤレスデバイスは、図１〜図１１を参照して上述されたように、第１のＴＴＩの中の制御領域と一致する第２のＴＴＩ送信用のＣｏＭＰ送信方式をディセーブルにすることができる。いくつかの例では、ブロック１６１５の動作は、図９を参照して上述されたＣｏＭＰ送信方式モジュール９０５、図１０のＴＴＩパラメータモジュール１０１０、または図１１の基地局ＴＴＩパラメータモジュール１１１０によって実行され得る。
【０１４２】
[0158]ブロック１６２０において、ワイヤレスデバイスは、図１〜図１１を参照して上述されたように、第１のＴＴＩのデータ領域と一致する第２のＴＴＩ送信用のＣｏＭＰ送信方式をイネーブルにすることができる。いくつかの例では、ブロック１６２０の動作は、図９を参照して上述されたＣｏＭＰ送信方式モジュール９０５、図１０のＴＴＩパラメータモジュール１０１０、または図１１の基地局ＴＴＩパラメータモジュール１１１０によって実行され得る。
【０１４３】
[0159]このようにして、方法１２００、１３００、１４００、１５００、および１６００は、低レイテンシワイヤレス通信におけるランダムアクセスを実現することができる。方法１２００、１３００、１４００、１５００、および１６００は可能な実装形態を記載すること、ならびに、動作およびステップは、他の実装形態が可能であるように、並べ替えられるかまたは場合によっては修正され場合があることに留意されたい。いくつかの例では、方法１２００、１３００、１４００、１５００、および１６００のうちの２つ以上からの態様が、組み合わされ得る。
【０１４４】
[0160]添付の図面に関して上記に記載された発明を実施するための形態は、例示的な構成を記載しており、実装される場合がある、または特許請求の範囲内に入るすべての例を表すとは限らない。本明細書で使用される場合がある「例示的」という用語は、「例、事例、または例示として働くこと」を意味し、「好ましい」または「他の例よりも有利」を意味しない。発明を実施するための形態は、記載された技法の理解を与えるための具体的な詳細を含む。しかしながら、これらの技法は、これらの具体的な詳細なしに実践される場合がある。場合によっては、記載された例の概念を不明瞭にすることを回避するために、よく知られた構造およびデバイスがブロック図の形態で示される。
【０１４５】
[0161]本明細書で使用される「に基づいて」という語句は、条件の閉集合への参照として解釈されるべきではない。たとえば、「条件Ａに基づいて」と記載される例示的なステップは、本開示の範囲から逸脱することなく、条件Ａと条件Ｂの両方に基づく場合がある。言い換えれば、本明細書で使用される「に基づいて」という語句は、「に少なくとも部分的に基づいて」という語句と同様に解釈されるべきである。
【０１４６】
[0162]情報および信号は、多種多様な異なる技術および技法のうちのいずれかを使用して表される場合がある。たとえば、上の説明全体にわたって参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１４７】
[0163]本開示に関して本明細書に記載された様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書に記載された機能を実施するように設計されたそれらの任意の組合せを用いて実装または実施される場合がある。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）として実装される場合がある。
【０１４８】
[0164]当業者には既知であるか、または後で既知になる、本開示全体にわたって記載された様々な態様の要素に対するすべての構造的および機能的な均等物は、参照により本明細書に明確に組み込まれ、特許請求の範囲によって包含されるものである。その上、本明細書で開示されたいかなることも、そのような開示が特許請求の範囲に明示的に列挙されているか否かにかかわらず、公に供されるものではない。「モジュール」、「機構」、「要素」、「デバイス」などの単語は、「手段」という単語の代用ではない場合がある。したがって、いかなるクレーム要素も、その要素が「のための手段」という語句を使用して明確に列挙されていない限り、ミーンズプラスファンクションとして解釈されるべきではない。
【０１４９】
[0165]本明細書に記載された機能は、ハードウェア、プロセッサによって実行されるソフトウェア、ファームウェア、またはそれらの任意の組合せに実装される場合がある。プロセッサによって実行されるソフトウェアに実装される場合、機能は、１つまたは複数の命令またはコードとして、コンピュータ可読媒体上に記憶されるか、またはコンピュータ可読媒体を介して送信される場合がある。他の例および実装形態は、本開示の範囲および添付の特許請求の範囲内に入る。たとえば、ソフトウェアの性質に起因して、上述された機能は、プロセッサ、ハードウェア、ファームウェア、ハードワイヤリング、またはこれらのいずれかの組合せによって実行されるソフトウェアを使用して実装することができる。機能を実装する特徴はまた、異なる物理的位置において機能の部分が実装されるように分散されることを含めて、様々な位置に物理的に配置される場合がある。また、特許請求の範囲を含めて本明細書で使用されるように、項目の列挙（たとえば、「のうちの少なくとも１つ」あるいは「のうちの１つまたは複数」などの語句で終わる項目の列挙）内で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１５０】
[0166]コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスすることができる任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用することができ、汎用コンピュータもしくは専用コンピュータまたは汎用プロセッサもしくは専用プロセッサによってアクセスすることができる、任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１５１】
[0167]本開示のこれまでの説明は、当業者が本開示を作成または使用することが可能になるように提供される。本開示への様々な修正は当業者に容易に明らかとなり、本明細書で定義された一般原理は、本開示の範囲から逸脱することなく他の変形形態に適用される場合がある。したがって、本開示は、本明細書に記載された例および設計に限定されるべきではなく、本明細書で開示された原理および新規の特徴と一致する最も広い範囲を与えられるべきである。
【０１５２】
[0168]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムに使用される場合がある。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００
１Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載された技法は、上述されたシステムおよび無線技術ならびに他のシステムおよび無線技術に使用される場合がある。しかしながら、上記の説明は、例としてＬＴＥシステムを記載し、上記の説明の大部分においてＬＴＥ用語が使用されるが、本技法はＬＴＥの適用例以外に適用可能である。
以下に本願の出願当初の特許請求の範囲に記載された発明を付記する。
［Ｃ１］
ワイヤレス通信のための方法であって、
第１の送信時間間隔（ＴＴＩ）を使用する通信用のパラメータの第１のセットを決定することと、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けることと、
前記第１のＴＴＩまたは前記第２のＴＴＩのうちの少なくとも１つと前記第１のパラメータとを使用して通信を実行することと、
を備える、方法。
［Ｃ２］
前記第１のパラメータは、ノードの時間追跡パラメータまたは前記ノードの周波数追跡パラメータのうちの少なくとも１つ、または両方を備える、Ｃ１に記載の方法。
［Ｃ３］
前記通信を実行することは、
動的ポイント選択（ＤＰＳ）ＣｏＭＰ通信、協調ビームフォーミング（ＣＢＦ）ＣｏＭＰ通信、もしくはジョイント送信（ＪＴ）ＣｏＭＰ通信のうちの少なくとも１つ、またはそれらの任意の組合せを実行すること、
を備える、Ｃ１に記載の方法。
［Ｃ４］
前記通信を実行することは、
ノードの第１のＣｏＭＰ協働セット内の第１の複数のノードと、ノードの第２のＣｏＭＰ協働セット内の第２の複数のノードとを識別することと、ここにおいて、ノードの前記第１のＣｏＭＰ協働セットは前記第１のＴＴＩを使用して通信し、ノードの前記第２のＣｏＭＰ協働セットは前記第２のＴＴＩを使用して通信する、
ノードの前記第１のＣｏＭＰ協働セットまたはノードの前記第２のＣｏＭＰ協働セットのうちの１つまたは複数を使用してユーザ機器（ＵＥ）との通信を実行することと、
を備える、Ｃ１に記載の方法。
［Ｃ５］
ノードの前記第２のＣｏＭＰ協働セット内の前記第２の複数のノードは、ノードの前記第１のＣｏＭＰ協働セット内の前記第１の複数のノードのサブセットである、Ｃ４に記載の方法。
［Ｃ６］
前記通信を実行することは、共通基準信号（ＣＲＳ）ベースの通信または復調基準信号（ＤＭ−ＲＳ）ベースの通信を実行することを備え、前記第１のパラメータは、ＣＲＳベースのパラメータまたはＤＭ−ＲＳベースのパラメータを備える、Ｃ１に記載の方法。
［Ｃ７］
前記第１のパラメータは、前記第２のＴＴＩについてのチャネル状態情報（ＣＳＩ）プロセス用のパラメータを備える、Ｃ１に記載の方法。
［Ｃ８］
前記第１のＴＴＩまたは前記第２のＴＴＩを使用する通信用の２つ以上のチャネル状態情報（ＣＳＩ）プロセスを識別すること、
をさらに備える、Ｃ７に記載の方法。
［Ｃ９］
前記第２のＴＴＩについての前記ＣＳＩプロセス用の前記パラメータは、前記第１のＴＴＩを使用する通信用の対応するＣＳＩプロセスに関連付けられる、Ｃ７に記載の方法。
［Ｃ１０］
前記第２のＴＴＩについての前記ＣＳＩプロセス用の前記パラメータは、ランクインジケータ（ＲＩ）、プリコーディング行列インジケータ（ＰＭＩ）、もしくはプリコーディングタイプインジケータ（ＰＴＩ）のうちの少なくとも１つ、またはそれらの任意の組合せを備える、Ｃ９に記載の方法。
［Ｃ１１］
前記第２のＴＴＩについての前記ＣＳＩプロセス用の前記パラメータは、前記第１のＴＴＩを使用する通信用のチャネル品質インジケータ（ＣＱＩ）から導出されるＣＱＩを備える、Ｃ９に記載の方法。
［Ｃ１２］
前記第１のパラメータは、前記第２のＴＴＩについての仮想セル識別情報（ＶＣＩＤ）を備える、Ｃ１に記載の方法。
［Ｃ１３］
前記第２のＴＴＩを使用する通信用のＶＣＩＤ構成は、前記第１のＴＴＩを使用する通信用のＶＣＩＤ構成に関連付けられる、Ｃ１２に記載の方法。
［Ｃ１４］
データ通信のために、前記第２のＴＴＩまたは前記第１のＴＴＩを使用する前記ＶＣＩＤは、制御チャネル内のシグナリングによって決定される、Ｃ１２に記載の方法。
［Ｃ１５］
第１のＶＣＩＤ用の制御チャネル通信は、第１の復号候補のために決定され、第２のＶＣＩＤ用の制御チャネル通信は、第２の復号候補のために決定される、Ｃ１２に記載の方法。
［Ｃ１６］
前記第１のパラメータは、物理ダウンリンク共有チャネルレートマッチング、または前記第２のＴＴＩのための擬似コロケーションインジケータ（ＰＱＩ）構成のうちの少なくとも１つ、またはそれらの任意の組合せを備える、Ｃ１に記載の方法。
［Ｃ１７］
前記第２のＴＴＩを使用する通信用の前記ＰＱＩ構成は、前記第１のＴＴＩを使用する通信用と同じＰＱＩ構成である、Ｃ１６に記載の方法。
［Ｃ１８］
前記第２のＴＴＩを使用する通信用のＰＱＩ構成の数は、前記第１のＴＴＩを使用する通信用のＰＱＩ構成の数よりも少ないかまたはそれに等しい、Ｃ１６に記載の方法。
［Ｃ１９］
データ通信のために、前記第２のＴＴＩまたは前記第１のＴＴＩを使用する前記ＰＱＩ構成は、制御チャネル内のシグナリングによって決定される、Ｃ１８に記載の方法。
［Ｃ２０］
制御チャネル通信のために、第１のＰＱＩ構成が第１の復号候補のために決定され、第２のＰＱＩ構成が第２の復号候補のために決定される、Ｃ１８に記載の方法。
［Ｃ２１］
前記第１のＴＴＩに対して前記第２のＴＴＩを使用する送信のタイミングに少なくとも部分的に基づいて、前記第２のＴＴＩを使用する前記送信のＣｏＭＰ送信方式を決定すること、
をさらに備える、Ｃ１に記載の方法。
［Ｃ２２］
前記ＣｏＭＰ送信方式は、前記第２のＴＴＩを使用する前記送信が前記第１のＴＴＩの制御領域と一致するときディセーブルにされ、前記ＣｏＭＰ送信方式は、前記第２のＴＴＩを使用する前記送信が前記第１のＴＴＩのデータ領域と一致するときイネーブルにされる、Ｃ２１に記載の方法。
［Ｃ２３］
前記ＣｏＭＰ送信方式は、前記第２のＴＴＩを使用する前記送信が前記第１のＴＴＩの制御領域と一致するとき共通基準信号（ＣＲＳ）に基づき、前記ＣｏＭＰ送信方式は、前記第２のＴＴＩを使用する前記送信が前記第１のＴＴＩのデータ領域と一致するとき復調基準信号（ＤＭ−ＲＳ）に基づく、Ｃ２１に記載の方法。
［Ｃ２４］
前記第１のＴＴＩの中の制御領域内の直交周波数分割多重（ＯＦＤＭ）シンボルの量は可変であり、１つまたは複数のＯＦＤＭシンボルは、前記ＯＦＤＭシンボルが制御領域ＯＦＤＭシンボルを備えるか、またはデータ領域ＯＦＤＭシンボルを備えるかを決定するためにブラインド復号される、Ｃ２１に記載の方法。
［Ｃ２５］
前記第１のＴＴＩの中の制御領域の直交周波数分割多重（ＯＦＤＭ）シンボルの数は、前記第２のＴＴＩを使用して送信されるサブフレームのチャネルフォーマットインジケータおよびタイプに少なくとも部分的に基づいて決定される、Ｃ２１に記載の方法。
［Ｃ２６］
前記第１のＴＴＩを使用して送信される直交周波数分割多重（ＯＦＤＭ）シンボルのサブセットは、ＯＦＤＭシンボルの前記サブセット内の各シンボルが制御情報を備えるか、またはデータを備えるかにかかわらず、前記第１のＴＴＩの中の制御領域シンボルであるように構成される、Ｃ２１に記載の方法。
［Ｃ２７］
前記第１のＴＴＩの中の制御領域用の前記ＣｏＭＰ送信方式と、前記制御領域の直交周波数分割多重（ＯＦＤＭ）シンボルの数とが、ユーザ機器（ＵＥ）にシグナリングされる、Ｃ２１に記載の方法。
［Ｃ２８］
ワイヤレス通信のための装置であって、
第１の送信時間間隔（ＴＴＩ）を使用する通信用のパラメータの第１のセットを決定するための手段と、
第２のＴＴＩを使用する通信用のパラメータの第２のセットを決定するための手段と、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けるための手段と、
前記第１のＴＴＩまたは前記第２のＴＴＩのうちの少なくとも１つと前記第１のパラメータとを使用して通信を実施するための手段と、
を備える、装置。
［Ｃ２９］
通信のための装置であって、
プロセッサと、
前記プロセッサと電子通信しているメモリと、
前記メモリに記憶された命令と、を備え、前記命令は、
第１の送信時間間隔（ＴＴＩ）を使用する通信用のパラメータの第１のセットを決定することと、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けることと、
前記第１のＴＴＩまたは前記第２のＴＴＩのうちの少なくとも１つと前記第１のパラメータとを使用して通信を実施することと、
を前記装置に行わせるように前記プロセッサによって実行可能である、装置。
［Ｃ３０］
ワイヤレス通信のためのコードを記憶する非一時的コンピュータ可読媒体であって、前記コードは、
第１の送信時間間隔（ＴＴＩ）を使用する通信用のパラメータの第１のセットを決定することと、
第２のＴＴＩを使用する通信用のパラメータの第２のセットを決定することと、ここにおいて、前記第２のＴＴＩは前記第１のＴＴＩよりも短い継続時間を有する、
パラメータの前記第２のセット内の第１のパラメータを、パラメータの前記第１のセット内の対応するパラメータと関連付けることと、
前記第１のＴＴＩまたは前記第２のＴＴＩのうちの少なくとも１つと前記第１のパラメータとを使用して通信を実施することと、
を行うように実行可能な命令を備える、非一時的コンピュータ可読媒体。
【図１】
0006700305.tif 000003
【図２】
0006700305.tif 000004
【図３】
0006700305.tif 000005
【図４Ａ】
0006700305.tif 000006
【図４Ｂ】
0006700305.tif 000007
【図５】
0006700305.tif 000008
【図６】
0006700305.tif 000009
【図７】
0006700305.tif 000010
【図８】
0006700305.tif 000011
【図９】
0006700305.tif 000012
【図１０】
0006700305.tif 000013
【図１１】
0006700305.tif 000014
【図１２】
0006700305.tif 000015
【図１３】
0006700305.tif 000016
【図１４】
0006700305.tif 000017
【図１５】
0006700305.tif 000018
【図１６】
0006700305.tif 000019